(57)【特許請求の範囲】
【請求項１】
所定の光源から出射された光ビームが光記録媒体により反射された反射光ビームを複数の検出領域により検出する検出器と、
互いに異なる複数の分割パターンのいずれかに従い、上記反射光ビームを分割してそれぞれ導光することにより、当該反射光ビームの所定領域を所定の上記検出領域にそれぞれ照射させる導光手段と、
上記反射光ビームを分割する際の分割パターンを、所定の切換条件に応じて切り換える切換制御部と
を有する光ピックアップ。
【請求項２】
上記導光手段は、
互いに異なる分割パターンに従ってそれぞれ複数の導光領域に分割された複数の分割導光部を有すると共に、各分割導光部の各導光領域毎に、上記反射光ビームのうち当該導光領域に入射された部分を所定の上記検出領域へそれぞれ導光することにより、上記反射光ビームを複数の分割光ビームに分割する
請求項１に記載の光ピックアップ。
【請求項３】
上記複数の分割導光部は、
光学的特性が互いに異なる上記反射光ビームをそれぞれ分割及び導光し、
上記切換制御部は、
上記反射光ビームの光学的特性を変化させることにより、上記複数の分割導光部のうち当該反射光ビームに対して作用させる分割導光部を切り換える
請求項２に記載の光ピックアップ。
【請求項４】
上記複数の分割導光部は、
それぞれ特定の偏光方向に対して作用する複屈折材料でなると共に、複数の上記分割導光部同士が互いに異なる偏光方向に対して作用するよう配置され、
上記切換制御部は、
上記反射光ビームの偏光方向を制御することにより当該反射光ビームに対して作用させる上記分割導光部を切り換える
請求項３に記載の光ピックアップ。
【請求項５】
上記切換制御部は、
上記光記録媒体の種類に応じて上記反射光ビームの分割パターンを切り換える
請求項１に記載の光ピックアップ。
【請求項６】
上記導光手段は、
上記反射光ビームの照射箇所に応じて互いに異なる分割パターンにより当該反射光ビーム分割してそれぞれ導光する分割導光板でなり、
上記切換制御部は、
上記分割導光板における上記光ビームの照射位置を変更することにより、上記反射光ビームの分割パターンを切り換える
請求項１に記載の光ピックアップ。
【請求項７】
上記分割導光板は、
複数の導光領域に分割されると共に、各導光領域に上記反射光ビームを一方向に回折させるホログラムが形成されている
請求項６に記載の光ピックアップ。
【請求項８】
上記導光手段は、
上記反射光ビームの所定領域を上記検出領域同士の境界にまたがるよう照射させる
請求項１に記載の光ピックアップ。
【請求項９】
上記光記録媒体は、略円盤状でなると共に螺旋状又は同心円状に記録信号のピット列が形成された光ディスクでなり、
上記検出器は、４つの上記検出領域を有し、
上記分割パターンの一つは、上記反射光ビームの透過部分が上記反射光ビームにおける上記ピット列の像における走行方向と略平行な分割線及び略垂直な分割線によりそれぞれ略２等分されることにより４領域に分割され、当該領域毎に上記反射光ビームをそれぞれ異なる方向へ向けることにより、上記４つの検出領域へそれぞれ照射させる
請求項１に記載の光ピックアップ。
【請求項１０】
上記光記録媒体は、略円盤状でなると共に螺旋状又は同心円状に信号記録用のトラック溝が形成された光ディスクでなり、
上記検出器は、４つの上記検出領域を有し、
上記分割パターンの一つは、上記反射光ビームが上記トラック溝の像における走行方向と略平行な分割線により内周側及び外周側に略２等分されると共に、上記トラック溝により回折された＋１次光又は−１次光が含まれる領域と当該＋１次光又は当該−１次光が含まれない領域とに分割し、上記内周側の上記＋１次光又は上記−１次光が含まれる分割光ビーム、上記内周側の上記＋１次光又は上記−１次光が含まれない２つの分割光ビーム、上記外周側の上記−１次光又は上記＋１次光が含まれる分割光ビーム、及び上記外周側の上記−１次光又は上記＋１次光が含まれない２つの分割光ビームを上記４つの検出領域へそれぞれ照射させる
請求項１に記載の光ピックアップ。
【請求項１１】
上記分割パターンの一つは、
上記反射光ビームを分割せず所定の上記検出領域に照射させる
請求項１に記載の光ピックアップ。
【請求項１２】
上記光記録媒体は、信号記録用の記録層を複数有し、
上記導光手段は、
上記光記録媒体における上記記録層のうち上記光源から出射された上記光ビームが合焦していない記録層において反射された層間迷光ビームを上記検出器における上記検出領域以外の領域に照射させるよう導光する
請求項１に記載の光ピックアップ。
【請求項１３】
所定の光源から出射された光ビームが光記録媒体により反射された反射光ビームを複数の検出領域により検出する検出器と、
互いに異なる複数の分割パターンのいずれかに従い、上記反射光ビームを分割してそれぞれ導光することにより、当該反射光ビームの所定領域を所定の検出領域にそれぞれ照射させる導光手段と、
上記反射光ビームを分割する際の分割パターンを、上記複数の分割パターンのいずれかに切り換える切換制御部と、
所定の切換条件に応じて、上記分割パターンを切り換えさせるよう上記切換制御部を制御する統括制御部と
を有する光情報装置。
【発明の詳細な説明】
【技術分野】
【０００１】
本発明は光ピックアップ及び光情報装置に関し、例えばＤＶＤ−ＲＯＭ（Digital Versatile Disc-Read Only Memory）及びＤＶＤ−Ｒ（Digital Versatile Disc-Recordable）のように異なる種類の光ディスクに対応する光ディスク装置に適用して好適なものである。
【背景技術】
【０００２】
従来、光ディスク装置においては、ＤＶＤ−ＲＯＭやＤＶＤ−Ｒ等といった記録媒体としての光ディスクに対して、音楽コンテンツや映像コンテンツ、或いは各種データ等の情報を記録し、また当該光ディスクから当該情報を再生するようになされたものが広く普及している。
【０００３】
実際上、光ディスク装置は、光ディスクの信号記録層に同心円状又は螺旋状に形成されたトラックに対して書込用の光ビームを照射することにより、所定形状のピットを形成して情報の記録を行い、また当該トラックに読出用の光ビームを照射してその反射光ビームを読み出すことにより、情報の再生を行うようになされている。
【０００４】
このとき光ディスク装置は、光ディスクからの反射光ビームの一部を検出して所定の信号処理を施すことにより、光ビームの照射位置と所望のトラックとのずれ量に応じたトラッキングエラー信号を生成し、当該トラッキングエラー信号を基に当該光ビームの照射位置を制御して当該ずれ量を削減させる、いわゆるトラッキング制御を行うようになされている。
【０００５】
ところで、ＤＶＤ−ＲやＤＶＤ−ＲＷ（Digital Versatile Disc-Rewritable）等のような記録可能な光ディスクは、当該光ディスク上における情報の記録位置を特定するためにトラックに沿って刻まれた案内溝であるグルーブ構造を持つように構成されているが、これに対してＤＶＤ−ＲＯＭのような読出専用の光ディスクは、トラックがグルーブ構造を持たないように構成されている。
【０００６】
このためＤＶＤのフォーマットブック上では、例えば読出専用のＤＶＤ−ＲＯＭについてはＤＰＤ（Differential Phase Detection）法によりトラッキングエラー信号を生成し、記録可能なＤＶＤ−ＲやＤＶＤ−ＲＷについてはＤＰＰ（Differential Push Pull）法や１ビームＰＰ（Push Pull）法等のプッシュプル信号を用いた方式によりトラッキングエラー信号を生成することが規定されている。
【０００７】
また光ディスク装置は、光ディスクからの反射光の一部を基に、光ディスクの信号記録層に光ビームを合焦させるためのフォーカスエラー信号を生成すると共に、当該反射光ビームの一部を基に、記録された情報を読み出すためのＲＦ信号を生成するようにもなされている。
【０００８】
このため光ディスク装置のなかには、光ディスクからの反射光ビームを検出するフォトディテクタにおける検出領域が複数に分割され、各検出領域においてそれぞれ検出した検出信号を適宜演算することにより、ＤＰＤ法と１ビームＰＰ法とを両立し得る、またはＤＰＤ法とＤＰＰ法とを両立し得るトラッキングエラー信号、フォーカスエラー信号及びＲＦ信号等を生成するようになされたものが提案されている（例えば、特許文献１〜２参照）。
【特許文献１】特開２００４−２８１０２６公報（第７１頁、第２３図）
【特許文献２】特開平３−５９２７号公報（第９頁、第４図）
【発明の開示】
【発明が解決しようとする課題】
【０００９】
ところで、光ディスク装置では、ＤＰＤ法を用いてトラッキングエラー信号を生成する場合、図４１（Ａ）に示すようにフォトディテクタの検出領域１を検出領域１Ａ〜１Ｄのように４分割することになり、一方、１ビームＰＰ法を用いてトラッキングエラー信号を生成する場合、図４１（Ｂ）に示すようにフォトディテクタの検出領域１を検出領域１Ａ〜１Ｄのように６分割することになる。
【００１０】
このため光ディスク装置は、例えば図４１（Ｃ）に示すようにフォトディテクタにおける検出領域３を検出領域３Ａ〜３Ｈのように８分割する等、当該検出領域を細かく分割しておき、各検出領域に照射された反射光ビームの光量を基にそれぞれ検出信号を生成し、これらを適宜加算等することにより、ＤＰＤ法及び１ビームＰＰ法の両手法に対応したトラッキングエラー信号を生成することができる。
【００１１】
また光ディスク装置のフォトディテクタは、光電変換処理を行うことにより検出領域に照射された光量に応じた検出信号を生成した後、各検出信号をアンプにより増幅するようになされている。光ディスク装置は、この増幅された各検出信号に適切な演算を施すことによりトラッキングエラー信号を生成することができ、また各検出信号の総和を取ることにより、記録された情報を読み出す為のＲＦ信号を生成することができる。
【００１２】
ところで、ＢＤ−ＲＥ（Blu-ray Disc（登録商標）-Rewritable）ディスクに対応した光ディスク装置では、情報を読み出すための光ビームがＤＶＤに比較して短波長になり、ＮＡ（いわゆる開口数）が上がる為、光ディスク上でのスポットサイズが小さくなり、スポットのエネルギー密度が増加することになる。
【００１３】
これに伴い、かかる光ディスク装置では、記録された信号の読取耐久性の観点から、光ディスクに対する読取用の光ビームの照射パワーに上限が設けられており、その結果光ディスクからの反射光ビームの強度は微弱なものとなる。
【００１４】
さらに光ディスク装置では、光ビームの光源として用いられるレーザダイオードが低パワーになるほどノイズが増加するという特徴を持っているため、各検出信号にレーザノイズが重畳されることになる。このとき光ディスク装置は、フォトディテクタにおいて微弱な各検出信号をアンプにより増幅するため、ＲＦ信号に対してレーザノイズに加えてアンプノイズも重畳させてしまうことになる。
【００１５】
このため光ディスク装置は、特にフォトディテクタの検出領域が多数に分割されている場合、それぞれノイズが重畳された多数の検出信号を加算してＲＦ信号を生成するため、当該フォトディテクタの分割数が少ない場合と比較して、多くのノイズが含まれるＲＦ信号を生成することになり、ＲＦ信号読み出し特性を低下させてしまうという問題があった。
【００１６】
本発明は以上の点を考慮してなされたもので、複数の制御手法に対応し得ると共に高精度な信号を生成し得る光ピックアップ及び光情報装置を提案しようとするものである。
【課題を解決するための手段】
【００１７】
かかる課題を解決するため本発明の光ピックアップにおいては、所定の光源から出射された光ビームが光記録媒体により反射された反射光ビームを複数の検出領域により検出する検出器と、互いに異なる複数の分割パターンのいずれかに従い、反射光ビームを分割してそれぞれ導光することにより、当該反射光ビームの所定領域を所定の上記検出領域にそれぞれ照射させる導光手段と、反射光ビームを分割する際の分割パターンを、所定の切換条件に応じて切り換える切換制御部とを設けるようにした。
【００１８】
これにより、導光手段においていずれの分割パターンに切り換えた場合であっても、切り換えられた導光パターンに応じて、検出器の所定箇所に予め設けられた検出領域により反射光ビームの所定領域を検出することができ、かつ反射光ビームにおけるいずれの領域をいずれの検出領域により検出するかを、分割パターン毎に切り替えることができる。
【００１９】
また本発明の光情報装置においては、所定の光源から出射された光ビームが光記録媒体により反射された反射光ビームを複数の検出領域により検出する検出器と、互いに異なる複数の分割パターンのいずれかに従い、反射光ビームを分割してそれぞれ導光することにより、当該反射光ビームの所定領域を所定の検出領域にそれぞれ照射させる導光手段と、反射光ビームを分割する際の分割パターンを、複数の分割パターンのいずれかに切換制御部と、所定の切換条件に応じて、分割パターンを切り換えさせるよう切換制御部を制御する統括制御部とを設けるようにした。
【００２０】
これにより、導光手段においていずれの分割パターンに切り換えた場合であっても、切り換えられた導光パターンに応じて、検出器の所定箇所に予め設けられた検出領域により反射光ビームの所定領域を検出することができ、かつ反射光ビームにおけるいずれの領域をいずれの検出領域により検出するかを、分割パターン毎に切り替えることができる。
【発明の効果】
【００２１】
本発明によれば、導光パターンがいずれに切り換えた場合であっても、切り換えられた導光パターンに応じて、検出器の所定箇所に予め設けられた検出領域により反射光ビームの所定領域を検出することができ、かつ反射光ビームにおけるいずれの領域をいずれの検出領域により検出するかを、分割パターン毎に切り替えることができるので、かくして複数の制御手法に対応し得ると共に高精度な信号を生成し得る光ピックアップ及び光情報装置を実現できる。
【発明を実施するための最良の形態】
【００２２】
以下、図面について、本発明の一実施の形態を詳述する。
【００２３】
（１）本発明の基本原理
（１−１）光ディスク装置の構成
図１において、光ディスク装置１０は、ＢＤ−ＲＥ（Blu-ray Disc（登録商標）-Rewritable）ディスクやＢＤ−ＲＯＭ（Blu-ray Disc（登録商標）-Read Only Memory）ディスク等でなる記録媒体としての光ディスク１００に対して、音楽コンテンツや映像コンテンツ、或いは各種データ等の情報を記録し、また当該光ディスク１００から当該情報を再生するようになされている。
【００２４】
光ディスク装置１０は、光ディスク１００の信号記録層（図示せず）に同心円状又は螺旋状に形成されたトラック（図示せず）に対して書込用の光ビームを照射することにより、当該トラック上に所定形状のピットを形成して情報の記録を行い、また当該トラックに対して読出用の光ビームを照射してその反射光を読み出すことにより、記録された情報の再生を行うようになされている。
【００２５】
実際上、光ディスク装置１０の光ピックアップ１１は、レーザダイオード１２から紙面平行方向に偏光面を持つ出射光ビームＬ１を出射させ、偏光ビームスプリッタ１４の偏光膜１４Ａを透過させる。
【００２６】
続いて光ピックアップ１１は、偏光ビームスプリッタ１４を透過させた出射光ビームＬ１をコリメータレンズ１５により発散光から平行光に変換し、立ち上げミラー１６により光ディスク１００へ向けて立ち上げ、１／４波長板１７により直線偏光から円偏光に変換した後、対物レンズ１８により収束光に変換して当該光ディスク１００における信号記録面上の所望トラックに合焦させる。
【００２７】
また光ピックアップ１１は、光ディスク１００の信号記録面において出射光ビームＬ１が反射された反射光ビームＬ２を対物レンズ１８へ入射させて発散光から平行光に変換し、１／４波長板１７により円偏光から紙面垂直方向に偏光面を持つ直線偏光に変換した後、これを立ち上げミラー１６によりレーザダイオード１２が設けられた方向へ寝かせ、コリメータレンズ１５により収束光に変換して偏光ビームスプリッタ１４へ入射させる。
【００２８】
この場合光ピックアップ１１は、偏光ビームスプリッタ１４の偏光膜１４Ａと反射光ビームＬ２の偏光面との関係から当該反射光ビームＬ２を当該偏光膜１４Ａにおいて反射させた後、ハーフミラー１９により一部反射させ、フォーカスエラー信号検出系２３へ入射させる。
【００２９】
ここでフォーカスエラー信号検出系２３は、ＳＳＤ（Spot Size Detection）法、非点収差法、フーコー法などの方式を取り得る。なおフォーカスエラー信号検出系２３は、偏光ビームスプリッタ１４からフォトディテクタ２２へ向かう光路に含まれていても良い。
【００３０】
また光ピックアップ１１は、反射光ビームＬ２のうちハーフミラー１９を透過した光ビームを分割導光板２０又は２１により複数の光ビームに分割させ、これらをフォトディテクタ２２に入射させる（詳しくは後述する）。
【００３１】
さらにピックアップ１１は、分割導光パターン切換部２４により、分割導光板２０又は２１をメカニカルに切り換え、これにより反射光ビームＬ２に対する分割パターンを切り換えるようになされている（詳しくは後述する）。
【００３２】
（１−２）分割導光板の構成
光ディスク装置１０は、光ディスク１００がＢＤ−ＲＯＭディスクである場合、当該ＢＤ−ＲＯＭディスクにはトラックとしてピット列が形成されグルーブ構造を持たないことに応じて、ＤＰＤ（Differential Phase Detection）法に従ったトラッキング制御を行うようになされている。
【００３３】
光ピックアップ１１は、ＤＰＤ法に従ったトラッキング制御を行う場合、図２（Ａ）に示すように、仮に分割導光板２０又は２１が存在せず反射光ビームＬ２によりフォトディテクタ２２上に形成される円形のビームスポットＰ１をビームスポットＰ１Ａ〜Ｐ１Ｄに４分割し、それぞれの光量を検出する。
【００３４】
この場合、光ディスク装置１０は、フォトディテクタ２２によりビームスポットＰ１Ａ〜Ｐ１Ｄの各光量に応じて生成される検出信号Ｇ１Ａ〜Ｇ１Ｄの位相差を用いてトラッキングエラー信号ＳＴＥ１を算出し、当該トラッキングエラー信号ＳＴＥ１を基にトラッキング制御を行うようになされている。
【００３５】
実際上、光ピックアップ１１の分割導光板２０は、図２（Ａ）と対応する図３（Ａ）に示すように、４つの導光領域２０Ａ〜２０Ｄに分割されており、反射光ビームＬ２（図１）が当該分割導光板２０を透過する際の透過断面Ｒ１を４つの透過断面Ｒ１Ａ〜Ｒ１Ｄに分割するようになされている。以下、反射光ビームＬ２（図１）が４つの導光領域２０Ａ〜２０Ｄにより分割され断面形状がそれぞれ透過断面Ｒ１Ａ〜Ｒ１Ｄでなる光ビームを、それぞれ分割光ビームＬ３Ａ〜Ｌ３Ｄと呼ぶ。
【００３６】
分割導光板２０の一面には、図４（Ａ）に示すように、４つの導光領域２０Ａ〜２０ＤにそれぞれブレーズドＨＯＥ（Holographic Optical Element）でなるホログラムが形成されており、反射光ビームＬ２（図１）を分割した分割光ビームＬ３Ａ〜Ｌ３Ｄをそれぞれ図中左上方向、右上方向、左下方向及び右下方向へ回折させるようになされている。因みに図４（Ａ）は、分割導光板２０を上面側から見た様子を表している。
【００３７】
ここで、分割導光板２０の点Ｑ１−Ｑ２における断面を図４（Ｂ）に示す。分割導光板２０は、導光領域２０Ｂ及び２０Ｃにおいてそれぞれ一様な略鋸歯状の断面形状を有しており、かかる断面形状によりブレーズドＨＯＥとして作用するようになされている。
【００３８】
実際上、分割導光板２０は、導光領域２０Ｂ及び２０Ｃにより、図４（Ｂ）の上側から入射された反射光ビームＬ２のうち透過断面Ｒ１Ｂ及びＲ１Ｃに相当する部分を図の左下方向及び右下方向へそれぞれ回折させることにより、分割光ビームＬ３Ｂ及びＬ３Ｃを生成する。
【００３９】
一方、光ディスク装置１０は、光ディスク１００がＢＤ−ＲＥディスクである場合、当該ＢＤ−ＲＥディスクのトラックがグルーブ構造を持つことに応じて１ビームＰＰ（Push Pull）法に従ったトラッキング制御を行うようになされている。
【００４０】
光ピックアップ１１は、１ビームＰＰ法に従ったトラッキング制御を行う場合、図２（Ｂ）に示すように、仮に分割導光板２０又は２１が存在せず反射光ビームＬ２によりフォトディテクタ２２上に形成される円形のビームスポットＰ２をビームスポットＰ２Ａ〜Ｐ２Ｆに６分割し、それぞれの光量を検出する。
【００４１】
この場合、光ディスク装置１０は、ビームスポットＰ２Ａ〜Ｐ２Ｆの各光量に応じた検出信号Ｇ２Ａ〜Ｇ２Ｆ及び所定の係数Ｋを用いて、次に示す（１）式に従ってトラッキングエラー信号ＳＴＥ２を算出し、当該トラッキングエラー信号ＳＴＥ２を基にトラッキング制御を行うようになされている。
【００４２】
【数１】
0004433315.tif 000002
【００４３】
実際上、光ピックアップ１１の分割導光板２１は、分割導光板２０とは異なる分割パターンを有しており、図２（Ｂ）と対応する図３（Ｂ）に示すように、６つの導光領域２１Ａ〜２１Ｆに分割されている。これにより分割導光板２１は、反射光ビームＬ２（図１）が当該分割導光板２１を透過する際の透過断面Ｒ２を６つの透過断面Ｒ２Ａ〜Ｒ２Ｆに分割する。以下、反射光ビームＬ２（図１）が６つの導光領域２１Ａ〜２１Ｆにより分割され断面形状がそれぞれ透過断面Ｒ２Ａ〜Ｒ２Ｆでなる光ビームを、それぞれ分割光ビームＬ４Ａ〜Ｌ４Ｆと呼ぶ。
【００４４】
分割導光板２１は、分割導光板２０と同様、図３（Ｃ）に示すように、６つの導光領域２１Ａ〜２１ＦにそれぞれブレーズドＨＯＥでなるホログラムを形成しており、反射光ビームＬ２（図１）が分割された反射光ビームＬ４Ａ〜Ｌ４Ｆをそれぞれ図中左上方向、右上方向、左下方向、右下方向、左上方向及び右上方向へ回折させるようになされている。
【００４５】
この場合、分割導光板２１は、導光領域２１Ａ及び２１Ｅにより反射光ビームＬ４Ａ及びＬ４Ｅを同一の方向（図中左上方向）へ回折させ、反射光ビームＬ４Ｂ及びＬ４Ｆを同一の方向（図中右上方向）へ回折させるようになされている。
【００４６】
このように分割導光板２０及び分割導光板２１は、４分割された導光領域２０Ａ〜２０Ｄ、或いは６分割された導光領域２１Ａ〜２１Ｆにそれぞれホログラムが形成され、当該導光領域２０Ａ〜２０Ｄの回折方向あるいは当該導光領域２１Ａ〜２１Ｆの回折方向がそれぞれ所定の方向に設定されていることにより、反射光ビームＬ２を４本の分割光ビームＬ３Ａ〜Ｌ３Ｄ或いは６本の分割光ビームＬ４Ａ〜Ｌ４Ｆに分割するようになされている。
【００４７】
（１−３）フォトディテクタの構成
フォトディテクタ２２は、図５に示すように、反射光ビームＬ３Ａ〜Ｌ３Ｄ又はＬ４Ａ〜Ｌ４Ｄが照射される上面に、それぞれ矩形状でなる検出領域２２Ａ〜２２Ｄが設けられている。
【００４８】
検出領域２２Ａ〜２２Ｄは、フォトディテクタ２２の上面において、仮に分割導光板２０又は２１が存在しなかった場合に当該フォトディテクタ２２に到達する反射光ビームＬ２の光軸の位置と重なる中心点Ｕ１を中心として左上側、右上側、左下側及び右下側にそれぞれ配置されている。
【００４９】
またフォトディテクタ２２の各検出領域２２Ａ〜２２Ｄは、仮に分割導光板２０又は２１が存在しなかった場合に反射光ビームＬ２により形成されるビームスポットＰ０よりも十分に大きくなされており、当該ビームスポットＰ０と同等の大きさでなるビームスポットの光量を確実に検出し得るようになされている。
【００５０】
フォトディテクタ２２は、各検出領域２２Ａ〜２２Ｄにそれぞれ形成されたビームスポットの光量に応じて光電変換処理を行うことによりそれぞれ電気信号を生成し、それぞれをアンプ（図示せず）によって増幅することにより４種類の検出信号を生成する。
【００５１】
（１−４）反射光ビームの検出
実際上、光ディスク装置１０の光ピックアップ１１は、光ディスク１００（図１）がＢＤ−ＲＯＭディスクであった場合、図６（Ａ）に示すように、分割導光パターン切換部２４により分割導光板２０に切り換える。
【００５２】
このとき光ピックアップ１１は、分割導光板２０により反射光ビームＬ２を分割光ビームＬ３Ａ〜Ｌ３Ｄに分割し、これらをフォトディテクタ２２の検出領域２２Ａ〜２２Ｄへそれぞれ照射させる。
【００５３】
この結果、フォトディテクタ２２の検出領域２２Ａ〜２２Ｄには、図７（Ａ）に示すように、透過断面Ｒ１Ａ〜Ｒ１Ｄ（図３（Ａ））とそれぞれほぼ相似形でなるビームスポットＰ１Ａ〜Ｐ１Ｄが形成される。これによりフォトディテクタ２２は、ビームスポットＰ１Ａ〜Ｐ１Ｄの各光量に応じた４種類の検出信号Ｓ１Ａ〜Ｓ１Ｄを生成する。
【００５４】
これに応じて光ディスク装置１０（図１）は、検出信号Ｓ１Ａ〜Ｓ１Ｄの位相差を用いてトラッキングエラー信号ＳＴＥ１を算出し、当該トラッキングエラー信号ＳＴＥ１を基に、ＢＤ−ＲＯＭディスクである光ディスク１００に対応したＤＰＤ法によるトラッキング制御を行うようになされている。
【００５５】
一方、光ディスク装置１０の光ピックアップ１１は、光ディスク１００（図１）がＢＤ−ＲＥディスクであった場合、図６（Ｂ）に示すように、分割導光パターン切換部２４により分割導光板２１に切り換える。
【００５６】
このとき光ピックアップ１１は、分割導光板２１により反射光ビームＬ２を分割光ビームＬ４Ａ〜Ｌ４Ｆに分割し、これらをフォトディテクタ２２の検出領域２２Ａ〜２２Ｄへそれぞれ照射させる。
【００５７】
この結果、フォトディテクタ２２の検出領域２２Ａ〜２２Ｄには、図７（Ｂ）に示すように、透過断面Ｒ２Ａ〜Ｒ２Ｆ（図３（Ｂ））とそれぞれほぼ相似形でなるビームスポットＰ２Ａ〜Ｐ２Ｆが形成される。
【００５８】
この場合、分割導光板２１の導光領域２１Ａ及び２１Ｅにより反射光ビームＬ４Ａ及びＬ４Ｅが同一の方向へ回折されることにより、フォトディテクタ２２の検出領域２２Ａには、反射光ビームＬ４ＡによるビームスポットＰ２Ａ及び反射光ビームＬ４ＥによるビームスポットＰ２Ｅが形成される。同様に、導光領域２１Ｂ及び２１Ｆにより反射光ビームＬ４Ｂ及びＬ４Ｆが同一の方向へ回折されることにより、フォトディテクタ２２の検出領域２２Ｂには、反射光ビームＬ４ＢによるビームスポットＰ２Ｂ及び反射光ビームＬ４ＦによるビームスポットＰ２Ｆが形成される。
【００５９】
また、フォトディテクタ２２の検出領域２２Ｃ及び２２Ｄには、反射光ビームＬ４Ｃ及びＬ４ＤによるビームスポットＰ２Ｃ及びＰ２Ｄがそれぞれ形成される。
【００６０】
これによりフォトディテクタ２２は、ビームスポットＰ２Ａ＋Ｐ２Ｅ、Ｐ２Ｂ＋Ｐ２Ｆ、Ｐ２Ｃ及びＰ２Ｄの各光量に応じた４種類の検出信号Ｓ２Ａ〜Ｓ２Ｄを生成する。これに応じて光ディスク装置１０は、当該検出信号Ｓ２Ａ〜Ｓ２Ｄを基に（１）式と対応する（２）式に従いトラッキングエラー信号ＴＥ２を生成し、ＢＤ−ＲＥディスクである光ディスク１００（図１）に対応した１ビームＰＰ法によるトラッキング制御を行う。
【００６１】
【数２】
0004433315.tif 000003
【００６２】
すなわち光ディスク装置１０の光ピックアップ１１は、分割導光パターン切換部２４によって分割導光板２０又は分割導光板２１に切り換えることにより、反射光ビームＬ２を分割光ビームＬ３Ａ〜Ｌ３Ｄに分割するか、或いは分割光ビームＬ４Ａ〜Ｌ４Ｆに分割するかといった分割パターンを切り換えることができる。
【００６３】
このとき光ピックアップ１１は、分割導光板２０又は２１に形成されたホログラムによって各分割光ビームＬ３Ａ〜Ｌ３Ｄ又はＬ４Ａ〜Ｌ４Ｆをそれぞれ所定方向へ回折させることにより、フォトディテクタ２２の検出領域２２Ａ、２２Ｂ、２２Ｃ及び２２Ｄに対して、ビームスポットＰ１Ａ、Ｐ１Ｂ、Ｐ１Ｃ及びＰ１Ｄをそれぞれ照射させ、或いはビームスポットＰ２Ａ＋Ｐ２Ｅ、Ｐ２Ｂ＋Ｐ２Ｆ、Ｐ２Ｃ及びＰ２Ｄをそれぞれ照射させる。
【００６４】
この結果、フォトディテクタ２２は、４つの検出領域２２Ａ〜２２Ｄにおいて光電変換処理及びアンプによる増幅処理を行うだけで、ＤＰＤ法によるトラッキングエラー信号ＳＴＥ１の生成に必要な４種類の検出信号Ｓ１Ａ〜Ｓ１Ｄ、或いは１ビームＰＰ法によるトラッキングエラー信号ＳＴＥ２の生成に必要な４種類の検出信号Ｓ２Ａ〜Ｓ２Ｄを、それぞれ直接生成することができる。
【００６５】
その後光ディスク装置１０は、トラッキングエラー信号ＳＴＥ１又はＳＴＥ２に応じて光ピックアップ１１又は対物レンズ１７（図１）を矢印ＴＲＫ方向又はその反対方向へ移動させることにより、トラッキング制御を行うようになされている。
【００６６】
（２）第１の実施の形態
（２−１）光ディスク装置の全体構成
図８において、光ディスク装置１０（図１）と対応する光ディスク装置３０は、全体としてＢＤ−ＲＥディスクやＢＤ−ＲＯＭディスク等でなる光ディスク１００に対して音楽コンテンツ、映像コンテンツ又は各種データ等の情報を記録し、また当該光ディスク１００から当該情報を再生するようになされている。
【００６７】
システムコントローラ３１は、光ディスク装置３０全体を統括制御するようになされており、光ディスク１００が装填された状態で、外部機器（図示せず）より当該光ディスク１００からの情報の再生命令を取得すると、当該光ディスク１００の信号記録層に記録されている情報を特定するためのアドレス情報ＩＡと共に、情報読出命令ＭＲを駆動制御部３３へ送出する。
【００６８】
駆動制御部３３は、システムコントローラ３１からの情報読出命令に応じて、スピンドルモータ３４を制御することにより光ディスク１００を所定の回転速度で回転させると共に、当該データ読出命令ＭＲ及びアドレス情報ＩＡを基に送りモータ３５を制御することにより、光ピックアップ１１（図１）と対応する光ピックアップ３６を当該光ディスク１００の径方向に移動させ、当該光ディスク１００の信号記録層におけるアドレス情報ＩＡに応じたトラック（以下、これを所望トラックと呼ぶ）に光ビームを集光した状態で照射させる。
【００６９】
このとき光ピックアップ３６は、光ディスク１００に照射した光ビームが反射された反射光ビームを受光し、その光量を検出して生成した検出信号を信号処理部３７へ送出する。信号処理部３７は、当該検出信号を基に、所望トラックに対する光ビームの照射位置のずれ量に応じたトラッキングエラー信号ＳＴＥと光ディスク１００の信号記録層に対する光ビームの焦点のずれ量に応じたフォーカスエラー信号ＳＦＥとを生成してこれらを駆動制御部３３へ送出すると共に、当該検出信号を基に再生ＲＦ信号ＳＲＦを生成して信号変復調部３８へ送出する。
【００７０】
駆動制御部４は、トラッキングエラー信号ＳＴＥ及びフォーカスエラー信号ＳＦＥに基づいたトラッキング制御信号ＣＴ及びフォーカス制御信号ＣＦを生成し、これらを光ピックアップ３６へ送出する。これに応じて光ピックアップ３６は、トラッキング制御及びフォーカス制御を行い、光ビームの焦点を光ディスク１００の所望トラックに合わせるようになされている。
【００７１】
信号変復調部３８は、再生ＲＦ信号ＳＲＦに対して所定の復調処理や復号化処理等を施すことにより情報を再生し、これを外部機器（図示せず）へ送出する。
【００７２】
また光ディスク装置３０は、信号変復調部３８に入力された記録信号に対して所定の変調処理を施し、これを信号処理部３７により記録用の信号に変換した後、光ピックアップ３６から当該記録用の信号に応じた記録用ビームを出射させることにより、記録信号に応じた情報を光ディスク１００に記録する。
【００７３】
このように光ディスク装置３０は、光ピックアップ３６から光ディスク１００の信号記録層における所望トラックに対して焦点を合わせた光ビームを照射することにより、所望の情報を再生または記録し得るようになされている。
【００７４】
（２−２）光ピックアップの構成
図１との対応部分に同一符号を付した図９において、光ピックアップ３６は、光集積素子４０の内部から出射された出射光ビームＬ１１を、コリメータレンズ１５により平行光に変換し、１／４波長板１７により直線偏光から円偏光に変換して立ち上げミラー１６により光ディスク１００（図示せず）が存在する前方向へ立ち上げ、対物レンズ１８により当該出射光ビームＬ１１を収束光に変換し、当該光ディスク１００における信号記録面上の所望トラックに合焦させる。
【００７５】
また光ピックアップ３６は、光ディスク１００の信号記録面において出射光ビームＬ１１が反射された反射光ビームＬ１２を対物レンズ１８へ入射させて発散光から平行光に変換し、立ち上げミラー１６により光集積素子４０が設けられた下方向へ寝かせ、１／４波長板１７により円偏光から直線偏光に変換しコリメータレンズ１５により収束光に変換した後、当該光集積素子４０へ入射させる。
【００７６】
光集積素子４０は、光ピックアップ１１（図１）におけるレーザダイオード１２、偏光ビームスプリッタ１４、レンズ１９、分割導光板２０及び２１、フォトディテクタ２２及び分割導光パターン切換部２４の各機能が一体に構成されている。
【００７７】
（２−２−１）光集積素子における出射光ビームの光路
実際上、光集積素子４０は、図１０（Ａ）に示すように、ベース部５０を中心に構成されており、当該ベース部５０の下面側に、レーザダイオード１２（図１）と対応するレーザダイオード５１が取り付けられるようになされている。
【００７８】
ベース部５０の上側には、フォトディテクタ２２（図１）と対応するフォトディテクタ５２が取り付けられると共に、スペーサ５３が取り付けられ、その上側にそれぞれ薄板状に構成された板状部材５４Ａ〜５４Ｄが積層されてなる偏光フィルタ部５４が取り付けられ、さらにその上側に偏光ビームスプリッタ１４（図１）に対応する偏光プリズム５５が取り付けられている。
【００７９】
図１０（Ｂ）に示すように、偏光フィルタ部５４の板状部材５４Ａ〜５４Ｄには、各種ホログラムや波長板等が形成されている。偏光フィルタ部５４には、各種ホログラムや波長板等が組み合わされることにより、１／２波長板５９、特許文献３に記載された手法により出射光ビームＬ１１の強度を減衰させる機能および強度分布を補正する機能を備えるアッテネータ部６０、及び反射光ビームＬ１２をする際の分割導光パターンを切り換える分割導光パターン切換部６１が構成されている。
【特許文献３】特開２００２−２６０２７２公報
【００８０】
光集積素子４０は、システムコントローラ３１（図８）の制御に基づき、レーザダイオード５１から出射光ビームＬ１１を上方へ出射させ、ベース部５０を上下に貫通するように設けられた貫通穴及びスペーサ５３の内部に設けられた空洞部を通過させて、当該出射光ビームＬ１１を偏光フィルタ部５４へ入射させる。
【００８１】
このとき偏光フィルタ部５４の板状部材５４Ａは、出射光ビームＬ１１をそのまま通過させ、板状部材５４Ｂに設けられた１／２波長板５９により出射光ビームＬ１１の偏光面を所定の角度だけ回転させて偏光方向を紙面左右方向とし、板状部材５４Ｂと板状部材５４Ｃとの間に設けられたアクティブ波長板６２へ入射させる。
【００８２】
アクティブ波長板６２は、液晶素子でなり、システムコントローラ３１（図８）の制御に基づいて出射光ビームＬ１１の中心から所定半径部分の領域における偏光面を所望の角度だけ回転させ、板状部材５４Ｄの偏光ホログラム６３へ入射させる。偏光ホログラム６３は、出射光ビームＬ１１における特定の方位の偏光成分でなる光ビームを回折させて偏光プリズム５５へ入射させるようになされている。
【００８３】
ここで光集積素子４０は、光ディスク１００への信号の記録時に、アクティブ波長板６２を通過する出射光ビームＬ１１の中心から所定半径部分の領域の偏光面の相対的な回転を略０度（紙面左右方向に平行な方向）に調整する。このため光集積素子４０は、偏光ホログラム６３による回折を発生させず、偏光プリズム５５の偏光膜５５Ａにおいて出射光ビームＬ１１の光量のほぼ全てを透過させ、当該光集積素子４０の上方に配置されたコリメータレンズ１５（図８）の方向へ出射することになる。これにより光集積素子４０は、光ディスク１００への信号の記録時に、レーザパワーを効率良く使用することができる。
【００８４】
また光集積素子４０は、光ディスク１００に記録された信号の読取時に、アクティブ波長板６２を通過する出射光ビームＬ１１の中心から所定半径部分の領域の偏光面に相対的な角度を与えるように調整する。このため光集積素子４０は、出射光ビームＬ１１のうち強度が強い中心部分のみを選択的に偏光ホログラム６３により回折させ、回折された光ビームを偏光プリズム５５の偏光膜５５Ａにおいて反射させ、図の左方向に配置されたアッテネータ部動作確認用フォトディテクタ５６に入射させる。さらに光集積素子４０は、出射光ビームＬ１１の中心部における強度を減衰させた状態で偏光プリズム５５の偏光膜５５Ａを透過させ、当該光集積素子４０の上方に配置されたコリメータレンズ１５（図８）の方向に出射させる。
【００８５】
これにより光集積素子４０は、光ディスク１００に記録された信号の読取時に、当該光ディスク１００の記録面上で同一の読取パワーを発生させた場合におけるレーザダイオード５１の出射パワーを上昇させ、レーザノイズを相対的に低減させることができると共に、出射光ビームの強度分布をより均一化して光ディスク１００の記録面上における光スポットの集光性能を改善させることができる。
【００８６】
さらに、システムコントローラ３１（図８）は、アッテネータ部動作確認用フォトディテクタ５６に入射する光量を検出することにより、アクティブ波長板６２の動作状態を監視している。これによりシステムコントローラ３１は、アッテネータ部６０により出射光量が減衰されている状態で光ディスク１００に対して記録パワーの出射光ビームＬ１を照射させるといった、レーザダイオード５１の出射光量の定格を超える動作が起きることを抑制し得るようになされている。
【００８７】
（２−２−２）光集積素子における反射光ビームの光路
一方、光集積素子４０（図１０（Ａ））は、偏光プリズム５５の上方から入射される反射光ビームＬ１２を偏光面５５Ａ及び反射面５５Ｂにおいてそれぞれ反射させることにより、当該反射光ビームＬ１２を板状部材５４Ｄに設けられたフォーカスサーボ用ホログラム６４へ入射させる。
【００８８】
板状部材５４Ｄ（図１０（Ｂ））の下面側には、偏光ホログラム６３に加えてフォーカスサーボ用ホログラム６４が形成されている。このフォーカスサーボ用ホログラム６４は、反射光ビームＬ１２を０次光でなる反射光ビームＬ１３、負のパワーが付与された＋１次光でなる反射光ビームＬ１４及び正のパワーが付与された−１次光でなる反射光ビームＬ１５に分光させ、板状部材５４Ｃへ入射させるようになされている。
【００８９】
板状部材５４Ｂと板状部材５４Ｃとの間には、アクティブ波長板６２に加えて液晶素子でなるアクティブ波長板６５が形成されている。アクティブ波長板６５は、システムコントローラ３１（図８）の制御に基づいて液晶セルへの印加電圧を変化させることにより、反射光ビームＬ１３〜Ｌ１５の偏光面を任意に回転させ、これを板状部材５４Ｂへ入射させるようになされている。
【００９０】
すなわちアクティブ波長板６５は、液晶セルへの印加電圧に応じて、例えば図の左右方向に偏光された反射光ビームＬ１３〜Ｌ１５を透過させるか、或いは図の前後方向（すなわち図の手前側又は奥側の方向）に偏光された反射光ビームＬ１３〜Ｌ１５を透過させるかを切り換えるようになされている。
【００９１】
板状部材５４Ｂの下面側及び板状部材５４Ａの上面側には、それぞれ分割導光板２０及び２１（図１）と対応する、偏光ホログラムでなる分割導光部６６及び６７が形成されている。
【００９２】
分割導光部６６は、図３（Ａ）と対応する図１１（Ａ）に示すように、分割導光板２０と同様に４つの導光領域６６Ａ〜６６Ｄに分割されており、反射光ビームＬ１３（図１０（Ｂ））が当該分割導光部６６を透過する際の透過断面Ｒ１１を４つの透過断面Ｒ１１Ａ〜Ｒ１１Ｄに分割するようになされている。
【００９３】
実際上、分割導光部６６には、図４（Ａ）と対応する図１２（Ａ）に示すように、４つの導光領域６６Ａ〜６６ＤにそれぞれブレーズドＨＯＥでなる偏光ホログラムが形成されており、反射光ビームＬ１３（図１０（Ｂ））を分割した分割光ビームＬ１６Ａ〜Ｌ１６Ｄをそれぞれ左方向又は右方向へ回折させるようになされている。因みに分割導光部６６は板状部材５４Ｂの下面に形成されているが、説明の都合上、図１２（Ａ）では当該分割導光部６６を上側から見た様子を表している。
【００９４】
ここで図４（Ｂ）と対応する図１２（Ｂ）及び（Ｃ）に断面を示すように、導光領域６６Ａ及び６６Ｄは、それぞれ反射光ビームＬ１３のうち透過断面Ｒ１１Ａ及びＲ１１Ｄ（図１２（Ａ））に相当する部分をそれぞれ左方向又は右方向へ比較的小さく回折させることにより、それぞれ左方向又は右方向へ比較的中央寄りに進行する分割光ビームＬ１６Ａ及びＬ１６Ｄを生成する。
【００９５】
また導光領域６６Ｂ及び６６Ｃは、それぞれ反射光ビームＬ１３のうち透過断面Ｒ１１Ｂ及びＲ１１Ｃ（図１２（Ａ））に相当する部分をそれぞれ左方向及び右方向へ比較的大きく回折させることにより、左方向及び右方向の比較的外側へ進行する分割光ビームＬ１６Ｂ及びＬ１６Ｃを生成する。
【００９６】
一方、分割導光部６７は、図３（Ｂ）と対応する図１１（Ｂ）に示すように、分割導光板２０と一部異なる７つの導光領域６７Ａ〜６７Ｇに分割されており、反射光ビームＬ１３（図１０（Ｂ））が当該分割導光板６７を透過する際の透過断面Ｒ１２を７つの透過断面Ｒ１２Ａ〜Ｒ１２Ｇに分割するようになされている。
【００９７】
実際上、分割導光部６７の上面には、図４（Ｃ）と対応する図１３（Ａ）に示すように、導光領域６７Ｇを除く６つの導光領域６７Ａ〜６７ＦにそれぞれブレーズドＨＯＥでなる偏光ホログラムが形成されており、反射光ビームＬ１３（図１０（Ｂ））を分割した分割光ビームＬ１７Ａ〜Ｌ１７Ｆをそれぞれ図中左方向又は右方向へ回折させ、また導光領域６７Ｇを透過した分割光ビームＬ１７Ｇを中央方向へ進行させるようになされている。
【００９８】
ここで図４（Ｂ）と対応する図１３（Ｂ）及び（Ｃ）に断面を示すように、導光領域６７Ａ、６７Ｅ、６７Ｂ及び６７Ｆは、それぞれ反射光ビームＬ１３のうち透過断面Ｒ１２Ａ、Ｒ１２Ｅ、Ｒ１２Ｂ及びＲ１２Ｆ（図１１（Ｂ））に相当する部分をそれぞれ左方向又は右方向へ比較的小さく回折させることにより、それぞれ左方向又は右方向へ比較的中央寄りに進行する分割光ビームＬ１７Ａ、Ｌ１７Ｅ、Ｌ１７Ｂ及びＬ１７Ｆを生成する。
【００９９】
また導光領域６７Ｃ及び６７Ｄは、それぞれ反射光ビームＬ１３のうち透過断面Ｒ１２Ｃ及びＲ１２Ｄ（図１１（Ｂ））に相当する部分をそれぞれ左方向又は右方向へ比較的大きく回折させることにより、左方向又は右方向の比較的外側へ進行する分割光ビームＬ１７Ｃ及びＬ１７Ｄを生成する。
【０１００】
ところで分割導光部６６及び分割導光部６７は、それぞれ複屈折性を有する材料で構成されると共に、複屈折における反射光ビームＬ１３〜Ｌ１５の各偏光方向に対する屈折率が互いに異なるように、換言すれば複屈折における進相軸及び遅相軸の方向が互いに異なるように構成されている。
【０１０１】
このため、例えば図１０（Ｂ）の左右方向に偏光された反射光ビームＬ１３が入射された場合、板状部材５４Ｂに形成された分割導光部６６は当該反射光ビームＬ１３に対して回折作用するものの、板状部材５４Ａに形成された分割導光部６７は当該反射光ビームＬ１３に対して回折作用せず、分割光ビームＬ１６Ａ〜Ｌ１６Ｄをそのまま透過させる。
【０１０２】
一方、例えば図１０（Ｂ）の前後方向（すなわち手前側又は奥側の方向）に偏光された反射光ビームＬ１３が入射された場合、これと反対に、板状部材５４Ｂに形成された分割導光部６６は当該反射光ビームＬ１３に対して回折作用せずにそのまま透過させ、板状部材５４Ａに形成された分割導光部６７は当該反射光ビームＬ１３に対して回折作用することにより分割光ビームＬ１７Ａ〜Ｌ１７Ｇに分割する。
【０１０３】
このため光ピックアップ３６の分割導光パターン切換部６１（図１０（Ｂ））は、アクティブ波長板６５の液晶セルに印加する電圧を変更して反射光ビームＬ１３の偏光方向を切り換えることにより、当該反射光ビームＬ１３に対して分割導光部６６により回折させるか、或いは分割導光部６７により回折させるかを切り換えることができる。
【０１０４】
すなわち光ピックアップ３６の分割導光パターン切換部６１は、システムコントローラ３１の制御に基づいてアクティブ波長板６５の液晶セルへの印加電圧を変更することにより、光ディスク装置１０（図１）において分割導光板２０又は２１をメカニカルに切り換えた場合と同様、反射光ビームＬ１３を分割光ビームＬ１６Ａ〜Ｌ１６Ｄに分割するか、或いは分割光ビームＬ１７Ａ〜Ｌ１７Ｇに分割するかといった、反射光ビームＬ１３の分割パターンを切り換えることができる。
【０１０５】
また、光ピックアップ３６の分割導光パターン切換部６１は、光ディスク装置１０（図１）において分割導光板２０又は２１をメカニカルに切り換える場合と比較して、切換動作用の空間を設ける必要がないため、極めて小型に構成することができる。
【０１０６】
（２−２−３）フォトディテクタの構成
フォトディテクタ５２は、図１４に示すように、分割光ビームＬ１６Ａ〜Ｌ１６Ｄ又はＬ１７Ａ〜Ｌ１７Ｇが照射される上面に、それぞれ矩形状でなる検出領域５２Ａ〜５２Ｍが設けられている。
【０１０７】
検出領域５２Ｅは、仮に分割導光部６６又は６７が存在しなかった場合に当該フォトディテクタ５２に到達する反射光ビームＬ１３の光軸の位置と重なる中心点Ｕ２にその中心が重なるように配置されている。検出領域５２Ａ及び検出領域５２Ｂは、検出領域５２Ｅの左側近傍位置及び右側近傍位置にそれぞれ配置され、検出領域５２Ｃ及び検出領域５２Ｄは、それぞれ当該検出領域５２Ａの左隣及び検出領域５２Ｂの右隣に配置されている。
【０１０８】
検出領域５２Ｆ及び検出領域５２Ｇは、層間迷光（詳しくは後述する）を検出するために設けられており、検出領域５２Ｃの左外方及び検出領域５２Ｄの右外方にそれぞれ配置されている。
【０１０９】
検出領域５２Ｈ〜５２Ｍは、ＳＳＤ（Spot Size Detection）法に従ってフォーカスエラー信号ＳＦＥを生成するために設けられている。検出領域５２Ｈ、５２Ｉ及び５２Ｊは、矩形状の領域が前後方向に３分割されてなると共に検出領域５２Ｆの左外方に配置され、また検出領域５２Ｋ、５２Ｌ及び５２Ｍは、矩形状の領域が前後方向に３分割されてなると共に検出領域５２Ｇの右外方に配置されている。
【０１１０】
因みにＳＳＤ法では、＋１次光と−１次光とにおける倍率の違いにより、フォトディテクタ５２の検出領域５２Ｈ、５２Ｉ及び５２Ｊの前後方向における幅と、フォトディテクタ５２の検出領域５２Ｋ、５２Ｌ及び５２Ｍの前後方向における幅とが同等である場合、生成されるフォーカスエラー信号ＳＦＥが非対称となってしまう（特許文献４参照）。そこでフォトディテクタ５２は、検出領域５２Ｈ、５２Ｉ及び５２Ｊの前後方向における幅が、検出領域５２Ｋ、５２Ｌ及び５２Ｍの前後方向における幅よりも広くなるようになされることにより、フォーカスエラー信号ＳＦＥが生成された際の対称性を向上させることができる。
【特許文献４】特開２００３−１８７４６９公報（第９頁、第３図）
【０１１１】
フォトディテクタ５２は、各検出領域５２Ａ〜５２Ｍにそれぞれ形成されたビームスポットの光量に応じて光電変換処理を行うことによりそれぞれ電気信号を生成し、それぞれをアンプ（図示せず）によって増幅することにより１３種類の検出信号を生成するようになされている。
【０１１２】
（２−３）反射光ビームの検出
（２−３−１）ＤＰＤ法によるトラッキングエラー信号の生成
実際上、光ディスク装置３０の光ピックアップ３６（図８）は、光ディスク１００がＢＤ−ＲＯＭディスクであった場合、図６（Ａ）と対応する図１５（Ａ）に示すように、アクティブ波長板６５の液晶セルへの印加電圧を変更することにより、偏光方向が左右方向となった反射光ビームＬ１３〜Ｌ１５を透過させる。
【０１１３】
このとき光ピックアップ３６は、分割導光部６６により反射光ビームＬ１３を分割光ビームＬ１６Ａ〜Ｌ６Ｄに分割し、それぞれフォトディテクタ５２の検出領域５２Ａ〜５２Ｄへそれぞれ照射させる。
【０１１４】
この結果、フォトディテクタ５２の検出領域５２Ａ〜５２Ｄには、図７（Ａ）と対応する図１６（Ａ）に示すように、透過断面Ｒ１１Ａ〜Ｒ１１Ｄ（図１１（Ａ））とそれぞれほぼ相似形でなるビームスポットＰ１１Ａ〜Ｐ１１Ｄが形成され、当該ビームスポットＰ１１Ａ〜Ｐ１１Ｄの各光量に応じた検出信号Ｓ１１Ａ〜Ｓ１１Ｄを生成する。
【０１１５】
これに応じて光ディスク装置３０（図８）は、検出信号Ｓ１１Ａ〜Ｓ１１Ｄの位相差を用いてトラッキングエラー信号ＳＴＥ１１を算出し、当該トラッキングエラー信号ＳＴＥ１１を基に、ＢＤ−ＲＯＭディスクである光ディスク１００（図８）に対応したＤＰＤ法によるトラッキング制御を行うようになされている。
【０１１６】
またフォトディテクタ５２の検出領域５２Ｈ〜５２Ｊ及び５２Ｋ〜５２Ｍには、反射光ビームＬ１４及びＬ１５に基づくビームスポットＰ１１Ｈ及びＰ１１Ｋが形成されており、当該検出領域５２Ｈ〜５２Ｊ及び５２Ｋ〜５２Ｍにおける検出信号Ｓ１１Ｈ〜Ｓ１１Ｊ及びＳ１１Ｋ〜Ｓ１１Ｍを生成する。
【０１１７】
これに応じて光ディスク装置３０（図８）は、検出信号Ｓ１１Ｈ〜Ｓ１１Ｊ及びＳ１１Ｋ〜Ｓ１１Ｍと所定の定数αとを用いた（３）式に従いフォーカスエラー信号ＳＦＥを生成し、当該フォーカスエラー信号ＳＦＥを基にフォーカス制御を行うようになされている。
【０１１８】
【数３】
0004433315.tif 000004
【０１１９】
さらに光ディスク装置３０（図８）は、検出信号Ｓ１１Ａ〜Ｓ１１Ｄを用いた（４）式に従い再生ＲＦ信号ＳＲＦを生成するようになされている。
【０１２０】
【数４】
0004433315.tif 000005
【０１２１】
（２−３−２）１ビームＰＰ法によるトラッキングエラー信号の生成
一方、光ディスク装置３０の光ピックアップ３６（図８）は、光ディスク１００がＢＤ−ＲＥディスクであった場合、図６（Ｂ）と対応する図１５（Ｂ）に示すように、アクティブ波長板６５の液晶セルへの印加電圧を変更することにより、偏光方向が前後方向となった反射光ビームＬ１３〜Ｌ１５を透過させる。
【０１２２】
このとき光ピックアップ３６は、分割導光部６７により反射光ビームＬ１３を分割光ビームＬ１７Ａ〜Ｌ１７Ｇに分割し、これらをフォトディテクタ２２の検出領域５２Ａ〜５２Ｅへ照射させる。
【０１２３】
この結果、フォトディテクタ５２の検出領域５２Ａ〜５２Ｅには、図７（Ｂ）と対応する図１６（Ｂ）に示すように、透過断面Ｒ１２Ａ〜Ｒ１２Ｇ（図１１（Ｂ））とそれぞれほぼ相似形でなるビームスポットＰ１２Ａ〜Ｐ１２Ｇが形成される。
【０１２４】
この場合、分割導光部６７の導光領域６７Ａ及び６７Ｅ（図１３（Ａ））により分割光ビームＬ１７Ａ及びＬ１７Ｅが同一の方向へ回折されるため、フォトディテクタ５２の検出領域５２Ａには、分割光ビームＬ１７ＡによるビームスポットＰ１２Ａ及び分割光ビームＬ１７ＥによるビームスポットＰ１２Ｅが形成される。同様に、導光領域６７Ｂ及び６７Ｆ（図１３（Ａ））により分割光ビームＬ１７Ｂ及びＬ１７Ｆが同一の方向へ回折されるため、フォトディテクタ５２の検出領域５２Ｂには、分割光ビームＬ１７ＢによるビームスポットＰ１２Ｂ及び分割光ビームＬ１７ＦによるビームスポットＰ１２Ｆが形成される。
【０１２５】
また、フォトディテクタ５２の検出領域５２Ｃ、５２Ｄ及び５２Ｅには、分割光ビームＬ１７Ｃ、Ｌ１７Ｄ及びＬ１７ＧによるビームスポットＰ１２Ｃ、Ｐ１２Ｄ及びＰ１２Ｇがそれぞれ形成される。
【０１２６】
これによりフォトディテクタ５２の検出領域５２Ａ〜５２Ｄは、それぞれビームスポットＰ１２Ａ＋Ｐ１２Ｅ、Ｐ１２Ｂ＋Ｐ１２Ｆ、Ｐ１２Ｃ及びＰ１２Ｄの各光量に応じた４種類の検出信号Ｓ１２Ａ〜Ｓ１２Ｄを生成する。
【０１２７】
これに応じて光ディスク装置３０（図８）は、検出信号Ｓ１２Ａ〜Ｓ１２Ｄを基に（１）式と対応する（５）式に従いトラッキングエラー信号ＳＴＥ１２を生成し、ＢＤ−ＲＥディスクである光ディスク１００（図８）に対応した１ビームＰＰ法によるトラッキング制御を行う。
【０１２８】
【数５】
0004433315.tif 000006
【０１２９】
さらに光ディスク装置３０は、検出信号Ｓ１２Ｃ及びＳ１２Ｄを基に（６）式に従いトラックのグルーブ構造におけるウォブルの検出状態を表すウォブル信号ＳＷＢを生成し、ＢＤ−ＲＥディスクである光ディスク１００（図８）に対応したアドレス情報読み出しを行う。
【０１３０】
【数６】
0004433315.tif 000007
【０１３１】
またフォトディテクタ５２の検出領域５２Ｈ〜５２Ｊ及び５２Ｋ〜５２Ｍには、光ディスク１００がＢＤ−ＲＥディスクであった場合と同様、反射光ビームＬ１４及びＬ１５に基づくビームスポットＰ１２Ｈ及びＰ１２Ｋが形成されており、当該検出領域５２Ｈ〜５２Ｊ及び５２Ｋ〜５２Ｍにおける検出信号Ｓ１２Ｈ〜Ｓ１２Ｊ及びＳ１２Ｋ〜Ｓ１２Ｍを生成する。
【０１３２】
これに応じて光ディスク装置３０（図８）は、検出信号Ｓ１２Ｈ〜Ｓ１２Ｊ及びＳ１２Ｋ〜Ｓ１２Ｍと定数αとを用いて、（３）式と同様の（７）式に従いフォーカスエラー信号ＳＦＥを生成し、当該フォーカスエラー信号ＳＦＥを基にフォーカス制御を行うようになされている。
【０１３３】
【数７】
0004433315.tif 000008
【０１３４】
さらに光ディスク装置３０（図８）は、検出信号Ｓ１２Ａ〜Ｓ１２Ｅを用いた（８）式に従い再生ＲＦ信号ＳＲＦを生成するようになされている。
【０１３５】
【数８】
0004433315.tif 000009
【０１３６】
（２−４）層間迷光による影響の低減
ところで、光ディスク１００の中には、２層の信号記録層を有するものがある（以下、これを２層ディスクと呼ぶ）。光ディスク装置３０は、この２層ディスクでなる光ディスク１００を再生する場合、目的とするデータが記録されている信号記録層（以下、これを対象記録層と呼ぶ）に対して出射光ビームＬ１１を合焦させることにより、当該対象記録層からデータを読み出すようになされている。
【０１３７】
このとき光ディスク装置３０は、光ピックアップ３６の内部において、図１７に模式的に示すように、反射光ビームＬ１３を分割した分割光ビームＬ１６Ａ〜Ｌ１６Ｄ又はＬ１７Ａ〜Ｌ１７Ｇをフォトディテクタ５２の上面に合焦させることになる。
【０１３８】
しかしながら光ディスク装置３０では、出射光ビームＬ１１の一部が対象記録層と異なる信号記録層（以下、これを非対象記録層と呼ぶ）において反射された光ビーム、いわゆる層間迷光もフォトディテクタ５２に到達することになる。
【０１３９】
例えば光ディスク装置３０では、対象記録層が光ディスク１００の奥側の信号記録層、すなわちＬ０層である場合、図１７と対応する図１８に示すように、非対象記録層であるＬ１層による迷光ビームＬ２１が分割導光部６６及び６７に対して収束光として入射する。
【０１４０】
これに対して光ディスク装置３０では、対象記録層が光ディスク１００のＬ１層である場合、図１７と対応する図１９に示すように、非対象記録層であるＬ０層による迷光ビームＬ２２が分割導光部６６及び６７に対して発散光として入射する。
【０１４１】
ここで光ピックアップ３６の分割導光部６７は、図１３（Ａ）と対応する図２０に示すように、導光領域６７Ｃ及び６７Ｄの中心側における一部分がそれぞれ中心側へ突出し領域６７ＣＸ及び６７ＤＸ（図中に斜線で示す）を形成するように分割されている。
【０１４２】
因みに図２０には、反射光ビームＬ１３が分割導光部６７を透過する際の透過断面Ｒ１２に加えて、迷光ビームＬ２１（図１８）が分割導光部６７を透過する際の透過断面Ｒ２１及び迷光ビームＬ２２（図１９）が分割導光部６７を透過する際の透過断面Ｒ２２を示している。
【０１４３】
さらに分割導光部６７は、図１６（Ｂ）に示したように、透過断面Ｒ１２（図１１（Ｂ））のうち上下の部分である透過断面Ｒ１２Ａ、Ｒ１２Ｂ、Ｒ１２Ｅ及びＲ１２Ｆに対応するビームスポットＰ１２Ａ、Ｐ１２Ｂ、Ｐ１２Ｅ及びＰ１２Ｆを比較的中心点Ｕ２（図１４）寄りの検出領域５２Ａ及び５２Ｂに照射させ、透過断面Ｒ１２のうち中段の透過断面Ｒ１２Ｃ及びＲ１２Ｄ対応するビームスポットＰ１２Ｃ及びＰ１２Ｄを比較的外側の検出領域５２Ｃ及び５２Ｄに照射させている。
【０１４４】
これにより光ピックアップ３６では、例えば対象記録層が光ディスク１００のＬ０層である場合、図２１（Ａ）及び（Ｂ）に示すように、Ｌ１層による層間迷光のうちフォトディテクタ５２の検出領域５２Ａ〜５２Ｄにかかって照射される部分は皆無となり、当該層間迷光がトラッキングエラー信号ＳＴＥ２２に対して影響を及ぼさなくなる。
【０１４５】
また光ピックアップ３６では、例えば対象記録層が光ディスク１００のＬ１層である場合、図２２（Ａ）及び（Ｂ）に示すように、対象記録層が光ディスク１００のＬ０層である場合と同様、Ｌ０層による層間迷光のうちフォトディテクタ５２の検出領域５２Ａ〜５２Ｄにかかって照射される部分は皆無となり、当該層間迷光がトラッキングエラー信号ＳＴＥ２２に対して影響を及ぼさなくなる。
【０１４６】
さらに光ピックアップ３６では、図２１（Ｂ）及び図２２（Ｂ）に示したように、フォトディテクタ５２において、Ｌ１層による層間迷光及びＬ０層による層間迷光のいずれもが検出領域５２Ｈ〜５２Ｊ及び５２Ｋ〜５２Ｍに照射されないように配置されている。
【０１４７】
このように光ピックアップ３６では、分割導光部６７の導光領域６７Ｃ及び６７Ｄの分割形状及びフォトディテクタ５２における検出領域５２Ａ〜５２Ｍの配置が工夫されていることにより、Ｌ０層による層間迷光又はＬ１層による層間迷光がトラッキングエラー信号ＳＴＥ２２に影響を及ぼさないようになされている。
【０１４８】
ところで光ディスク１００の中には、３層以上の信号記録層を有するものがある（以下、これを多層ディスクと呼ぶ）。これに対して光ピックアップ３６では、分割導光部６７の導光領域６７Ｃ及び６７Ｄの分割形状及びフォトディテクタ５２における検出領域５２Ａ〜５２Ｍの配置が工夫されていることにより、多層ディスクでの対象記録層以外の記録層からの層間迷光を極力低減し得るようになされている。
【０１４９】
また光ピックアップ３６は、多層ディスクでの層間迷光がフォトディテクタ５２の検出領域５２Ａ〜５２Ｍに入射してしまう場合であっても、各分割光ビームＬ１７Ａ〜Ｌ１７Ｇの強度が層間迷光の強度に対して充分に強いため、ＤＰＰ法のように強度の弱い信号ビームを検出する領域にメインビームの層間迷光が入射する場合と比較して、層間迷光の影響を極めて小さく抑えることができる。
【０１５０】
さらに光ピックアップ３６では、分割導光部６７の導光領域６７Ｇを通過した分割光ビームＬ１７Ｇをトラッキングエラー信号検出の演算に用いないことにより、光ディスク１００における信号記録層の記録・未記録状態の違いによるトラッキングエラー信号のオフセットを抑制することができる。
【０１５１】
そのうえ光ピックアップ３６では、トラックのグルーブ構造に含まれるウォブル信号ＳＷＢについて、分割導光部６７の導光領域６７Ｃ及び６７Ｄにより分割された分割光ビームＬ１７Ｃ及びＬ１７Ｄのみを使用することにより、特許文献５に記載されているような隣接トラックの影響による当該ウォブル信号ＳＷＢのビート成分を抑制することができ、当該ウォブル信号ＳＷＢの精度を向上させてアドレス情報の読み出し性能を向上させることができる。
【特許文献５】特開２００４−２７３０２４公報
【０１５２】
（２−５）動作及び効果
以上の構成において、第１の実施の形態による光ディスク装置３０の光ピックアップ３６は、光ディスク１００の種類がＢＤ−ＲＯＭディスク又はＢＤ−ＲＥディスクのいずれであるかに応じて、システムコントローラ３１の制御に基づき分割導光パターン切換部６１（図１０（Ｂ））のアクティブ波長板６５における液晶セルへの印加電圧を切り換えることにより反射光ビームＬ１３の偏光方向を切り換え、当該反射光ビームＬ１３の偏光方向に応じて分割導光部６６又は分割導光部６７を作用させることにより当該反射光ビームＬ１３を分割光ビームＬ１６Ａ〜Ｌ１６Ｄ又は分割光ビームＬ１７Ａ〜Ｌ１７Ｇに分割して、フォトディテクタ５２に照射させる。
【０１５３】
ここで分割導光部６６が作用する場合、フォトディテクタ５２の検出領域５２Ａ〜５２ＤにはビームスポットＰ１１Ａ〜Ｐ１１Ｄ（図１６（Ａ））が形成され、一方、分割導光部６７が作用する場合、フォトディテクタ５２の検出領域５２Ａ〜５２ＤにはそれぞれビームスポットＰ１２Ａ及びＰ１２Ｅ、Ｐ１２Ｂ及びＰ１２Ｆ、Ｐ１２Ｃ、Ｐ１２Ｄが形成される。
【０１５４】
従って光ディスク装置３０の光ピックアップ３６は、反射光ビームＬ１３を分割光ビームＬ１６Ａ〜Ｌ１６Ｄに分割するか、或いは分割光ビームＬ１７Ａ〜Ｌ１７Ｇに分割するかといった分割パターンを切り換えることにより、フォトディテクタ５２の検出領域５２Ａ〜５２Ｄにおいて、ＤＰＤ法によるトラッキングエラー信号ＳＴＥ１１を生成するための検出信号Ｓ１１Ａ〜Ｓ１１Ｄをそれぞれ直接生成することができ、或いは１ビームＰＰ法によるトラッキングエラー信号ＳＴＥ１２を生成するための検出信号Ｓ１２Ａ〜Ｓ１２Ｄをそれぞれ直接生成することができる。
【０１５５】
このためフォトディテクタ５２は、検出領域５２Ａ〜５２Ｄのような４つの領域によりトラッキングエラー信号ＳＴＥ１１及びＳＴＥ１２の両方に対応することができ、信号増幅用のアンプも４つで済むため、従来の８分割の場合（図４１（Ｃ））等と比較してアンプの数を削減しアンプノイズによるＲＦ信号の劣化を小さく抑えることができ、またフォトディテクタ５２におけるアンプ用部品の実装面積を削減して当該フォトディテクタ５２の小型化に寄与することができる。
【０１５６】
また分割導光部６６及び分割導光部６７には、ブレーズドＨＯＥでなる偏光ホログラムが形成されていることにより、回折方向を一方向とすることができるため、ビームスポットＰ１１Ａ〜Ｐ１１Ｄ及びＰ１２Ａ〜Ｐ１２Ｆの数を必要最小限に抑えることができる。
【０１５７】
さらにフォトディテクタ５２は、検出領域５２Ａ〜５２ＤがビームスポットＰ１１Ａ〜Ｐ１１Ｄ及びＰ１２Ａ〜Ｐ１２Ｆの周囲にある程度の余裕を持つ大きさとなるよう構成されていることにより、ビームスポットＰ１１Ａ〜Ｐ１１Ｄ及びＰ１２Ａ〜Ｐ１２Ｆの照射位置が多少ずれたとしても当該ビームスポットＰ１１Ａ〜Ｐ１１Ｄ及びＰ１２Ａ〜Ｐ１２Ｆをはみ出させることなく検出することができ、従来の８分割の場合（図４１（Ｃ））等においてフォトディテクタに対する光ビームの照射位置のずれにより検出信号が変化し精度が低下してしまうといった問題を原理的に排除することができる。
【０１５８】
さらに、光集積素子４０は、偏光フィルタ部５４において、板状部材５４Ｄに出射光ビームＬ１１用の偏光ホログラム６３及び反射光ビームＬ１２用のフォーカスサーボ用ホログラム６４の両方が形成され、板状部材５４Ｃに出射光ビームＬ１１用のアクティブ波長板６２及び反射光ビームＬ１３用のアクティブ波長板６５の両方が形成されているため、それぞれを別体として構成した場合と比較して、当該光集積素子４０の構成を簡略化すると共に小型化することができ、これにより光ピックアップ３６の小型化を図ることもできる。
【０１５９】
またフォトディテクタ５２は、ビームスポットＰ１１Ａ〜Ｐ１１Ｄ又はＰ１２Ａ〜Ｐ１２Ｆがいずれも各検出領域５２Ａ〜５２Ｄの内部に照射されるため、当該ビームスポットＰ１１Ａ〜Ｐ１１Ｄ又はＰ１２Ａ〜Ｐ１２Ｆが各検出領域の境界部分を跨ぐことによる検出信号の劣化を未然に防止することができる。
【０１６０】
さらにフォトディテクタ５２は、検出領域５２Ａ〜５２Ｍが中心点Ｕ２（図１４）を中心に略一直線上に配置されていることにより、検出領域５２Ｈ〜５２Ｊ並びに検出領域５２Ｋ〜５２Ｍにおいて検出する検出信号Ｓ１１Ｈ〜Ｓ１１Ｍ又はＳ１２Ｈ〜Ｓ１２Ｍを基に、ＳＳＤ法によるフォーカスエラー信号ＳＦＥを生成することができる。
【０１６１】
さらに光ピックアップ３６では、分割導光パターン切換部６１（図１０（Ｂ））において、偏光フィルタ部５４を固定したまま、アクティブ波長板６５の液晶セルへの印加電圧を切り換えることにより反射光ビームＬ１３の偏光方向を切り換え、当該反射光ビームＬ１３の偏光方向に応じて分割導光部６６又は分割導光部６７のいずれを作用させるかを切り換えることができるので、例えば図１に示したようにメカニカルに分割導光板２０又は２１を切り換える場合と比較して、可動部が存在しないことにより切換動作の信頼性を格段に向上させることができると共に、極めて小型に構成することができる。
【０１６２】
ところで、フォトディテクタの検出領域が多数に分割された従来の光ディスク装置では、検出領域の数に応じてアンプの個数も増えてしまい、消費電力も増加してしまっていた。
【０１６３】
ＤＶＤの場合は、ＤＰＤ法と１ビームＰＰ法を両立させる為にフォトディテクタの検出領域が多数に分割されていても致命的な問題とはならなかった。しかし、ＢＤ−ＲＥディスクを再生する場合は、フォトディテクタのＢＤ光源波長領域での受光感度がＤＶＤ光源波長領域の約２／３倍に低下してしまううえ、等倍速で比較した場合のＢＤ読取信号の転送レートがＤＶＤの転送レートの約３倍となるので、より低ノイズ化が求められる。
【０１６４】
従って、従来のフォトディテクタの検出領域が多数に分割されている光ディスク装置では、ノイズや消費電力の観点から、ＢＤ−ＲＥディスクの再生時に１ビームＰＰ法を使用できなかった。
【０１６５】
また、別のトラッキングエラー信号検出方式として、ＤＰＤ法とＤＰＰ法を両立させる為には、フォトディテクタの検出領域は、特許文献２のような構成を取る。
【０１６６】
ＤＰＰ法の場合、ＲＦ信号は中央の４分割フォトディテクタの加算により生成するので、ノイズや消費電力の観点からは、１ビームＰＰ法と比較して有利となる。しかしながら、光源からの出射光を１本のメインビームと２本以上サイドビームに分けてしまうため、光源の光利用効率が悪いという欠点があり、使用できるレーザダイオードの定格が低いＢＤにおいては、高倍速を達成する際の障壁となっていた。
【０１６７】
これに対して光ディスク装置３０では、フォトディテクタ５２の検出領域５２Ａ〜５２Ｄにおいて生成される４種類の検出信号Ｓ１１Ａ〜Ｓ１１Ｄのみを用いることによりトラッキングエラー信号を生成することができるので、１ビームＰＰ法を問題なく利用できると共に、ノイズを低減でき消費電力を削減することができる。
【０１６８】
また、従来の光ディスク装置では、ＢＤ−ＲＥディスクの場合、２層ディスクや多層ディスクを再生又は記録する際、フォトディテクタ上で、強度の弱いサイドビームと重なるように強度の強い他層からのメインビームの迷光（層間迷光）が入射することにより、サイドビームの品質が悪化し、トラッキングエラー信号が著しく劣化することが知られていた。このため、ＢＤ−ＲＥディスクの再生にＤＰＰ法を用いるのは、光利用効率と層間迷光によるサイドビーム品質悪化の観点から、問題があった。
【０１６９】
これに対して光ピックアップ３６では、分割導光部６７（図２０）において、分割導光６７Ｃ及び６７Ｄの中心側における一部分をそれぞれ中心側へ突出させ領域６７ＣＸ及び６７ＤＸが形成されたことにより、２層ディスクでなる光ディスク１００を再生する際、Ｌ１層による層間迷光及びＬ０層による層間迷光がフォトディテクタ５２の検出領域５２Ａ〜５２Ｄにかかる部分をいずれも皆無とすることができる（図２１、図２２）。
【０１７０】
さらに光ピックアップ３６では、分割導光部６７の導光領域６７Ｇを通過した分割光ビームＬ１７Ｇをトラッキングエラー信号検出の演算に用いないことにより、光ディスク１００における信号記録層の記録・未記録状態の違いによるトラッキングエラー信号のオフセットを抑制することができる。
【０１７１】
そのうえ光ピックアップ３６では、トラックのグルーブ構造に含まれるウォブル信号ＳＷＢについて、分割導光部６７の導光領域６７Ｃ及び６７Ｄにより分割された分割光ビームＬ１７Ｃ及びＬ１７Ｄのみを使用することにより、隣接トラックの影響による当該ウォブル信号ＳＷＢのビート成分を抑制することができ、当該ウォブル信号ＳＷＢの精度を向上させてアドレス情報の読み出し性能を向上させることができる。
【０１７２】
以上の構成によれば、光ディスク装置３０の光ピックアップ３６は、光ディスク１００の種類に応じて、分割導光パターン切換部６１のアクティブ波長板６５により反射光ビームＬ１３の偏光方向を切り換え、当該反射光ビームＬ１３の偏光方向に応じて分割導光部６６又は分割導光部６７を作用させることにより、当該反射光ビームＬ１３を分割光ビームＬ１６Ａ〜Ｌ１６Ｄ又は分割光ビームＬ１７Ａ〜Ｌ１７Ｇのいずれに分割するかを切り換えることができ、フォトディテクタ５２の検出領域５２Ａ〜５２Ｄにおいて、ＤＰＤ法によるトラッキングエラー信号ＳＴＥ１１を生成するための検出信号Ｓ１１Ａ〜Ｓ１１Ｄをそれぞれ直接生成することができ、或いは１ビームＰＰ法によるトラッキングエラー信号ＳＴＥ１２を生成するための検出信号Ｓ１２Ａ〜Ｓ１２Ｄをそれぞれ直接生成することができる。
【０１７３】
（３）第２の実施の形態
（３−１）光ピックアップの構成
第２の実施の形態では、図９及び図１０との対応部分に同一符号を付した図２３に示すように、光ピックアップ１２０が第１の実施の形態における光ピックアップ３６と一部異なる構成を有している。この光ピックアップ１２０は、光ピックアップ３６と比較して、主に光集積素子４０を構成する各光学素子がそれぞれ独立した部品として構成されている。
【０１７４】
光ピックアップ１２０は、システムコントローラ３１（図８）の制御に基づき、レーザダイオード５１から出射光ビームＬ１１を出射させ、１／２波長板５９により出射光ビームＬ１１の偏光面を所定の角度だけ回転させて偏光プリズム５５へ入射させる。
【０１７５】
偏光プリズム５５の偏光膜５５Ａは、出射光ビームＬ１１における光量のほぼ全てを透過させ、コリメータレンズ１５の方向へ出射すると共に、当該出射光ビームＬ１１における光量の一部を反射させてレーザ光量モニタ用フォトディテクタ１２１に入射させる。
【０１７６】
続いて光ピックアップ１２０は、カップリングレンズ１２２、コリメータレンズ１５、立ち上げミラー１６、１／４波長板１７を順次介して、出射光ビームＬ１１を対物レンズ１８により光ディスク１００（図８）における信号記録面上の所望トラックに合焦させる。
【０１７７】
因みにカップリングレンズ１２２は、コリメータレンズ１５における焦点距離を引き延ばすことにより、光ビームにおける瞳端強度の低下を防止するようになされている。
【０１７８】
これと並行してシステムコントローラ３１（図８）は、レーザ光量モニタ用フォトディテクタ１２１に入射する光量を検出してフィードバック制御することにより、レーザダイオード５１から出射させる出射光ビームＬ１１の出射強度を所望の強度に調整するようになされている。
【０１７９】
また光ピックアップ１２０は、光ディスク１００（図８）の信号記録面において出射光ビームＬ１１が反射された反射光ビームＬ１２を、対物レンズ１８、１／４波長板１７、立ち上げミラー１６、コリメータレンズ１５及びカップリングレンズ１２２を順次介して偏光プリズム５５へ入射させる。
【０１８０】
偏光プリズム５５は、反射光ビームＬ２２を偏光面５５Ａにおいて反射させ、フォーカスサーボ用ホログラム板１２３へ入射させる。フォーカスサーボ用ホログラム板１２３は、フォーカスサーボ用ホログラム６４（図１０（Ｂ））と同様のホログラムが形成されており、反射光ビームＬ１２を０次光ビームＬ１３、＋１次光ビームＬ１４及び−１次光ビームＬ１５に分光させ、それぞれ分割導光パターン切換部１２４へ入射させる。
【０１８１】
分割導光パターン切換部１２４は、図１０（Ｂ）における分割導光パターン切換部６１と同様の機能を有しているものの、その構造は分割導光パターン切換部６１とは異なっている。すなわち分割導光パターン切換部１２４は、図２４に示すように、分割導光部１２６が形成されたスライド板１２５をアクチュエータ（図示せず）により前方向又は後方向へ移動させるようになされている。
【０１８２】
これにより分割導光パターン切換部１２４は、分割導光部１２６に対する反射光ビームＬ１３の照射箇所を切り換えることができ、この結果、反射光ビームＬ１３の分割パターンを切り換え（詳しくは後述する）、分割後の反射光ビームをフォトディテクタ５２へ照射させるようになされている。
【０１８３】
このように光ピックアップ１２０は、分割導光パターン切換部１２４においてスライド板１２５を機械的に移動させることにより、分割導光部１２６に対する反射光ビームＬ１３の照射箇所を切り換え、当該反射光ビームＬ１３の分割パターンを切り換えるようになされている。
【０１８４】
（３−２）反射光ビームの分光
次に、分割導光パターン切換部１２４において分割導光部１２６により反射光ビームＬ１３を分割する様子について説明する。
【０１８５】
（３−２−１）分割導光部の構成
図２５に示すように、分割導光部１２６は、分割導光部６６（図１２）及び分割導光部６７（図１３）と比較して、全体が長方形状に形成されると共に６分割されている点が大きく異なっている。
【０１８６】
分割導光部１２６の導光領域１２６Ａ及び１２６Ｅ、１２６Ｂ及び１２６Ｆは、分割導光部６６の導光領域６６Ａ及び６６Ｄと同様のブレーズドＨＯＥでなるホログラムが形成されており、反射光ビームＬ１３の一部を左方向又は右方向へ比較的小さく回折させるようになされている。また分割導光部１２６の導光領域１２６Ｃ及び１２６Ｄは、分割導光部６６の導光領域６６Ｂ及び６６Ｃと同様のブレーズドＨＯＥでなるホログラムが形成されており、反射光ビームＬ１３の一部を左方向又は右方向へ比較的大きく回折させるようになされている。
【０１８７】
（３−２−２）ＤＰＤ法によるトラッキングエラー信号の生成
実際上、光ピックアップ１２０（図２３）は、光ディスク１００がＢＤ−ＲＯＭディスクであった場合、分割導光パターン切換部１２４（図２４）によりスライド板１２５を前方向へ移動させることにより、図２６（Ａ）に示すように、導光領域１２６Ｃ、１２６Ｄ、１２６Ｅ及び１２６Ｆのほぼ中心となる位置に、反射光ビームＬ１３が分割導光板１２６を透過する際の透過断面Ｒ２１の中心を重ねさせる。
【０１８８】
これにより分割導光板１２６は、４つの導光領域１２６Ｃ〜１２６Ｆによって、反射光ビームＬ１２を断面形状がそれぞれ透過断面Ｒ２１Ａ〜Ｒ２１Ｄでなる４本の光ビームに分割し、フォトディテクタ５２（図２３）へそれぞれ照射させる。
【０１８９】
この結果、図２６（Ｂ）に示すように、フォトディテクタ５２の検出領域５２Ａ〜５２Ｄには、図１６（Ａ）における検出領域５２Ａ〜５２Ｄと同様に、透過断面Ｒ２１Ｅ、Ｒ２１Ｆ、Ｒ２１Ｃ及びＲ２１Ｄとほぼ相似形でなるビームスポットＰ２１Ａ、Ｐ２１Ｂ、Ｐ２１Ｃ及び〜Ｐ２１Ｄが形成され、当該ビームスポットＰ２１Ａ〜Ｐ２１Ｄの各光量に応じた検出信号Ｓ２１Ａ〜Ｓ２１Ｄを生成する。
【０１９０】
これに応じて光ディスク装置３０（図８）は、検出信号Ｓ２１Ａ〜Ｓ２１Ｄの位相差を用いてトラッキングエラー信号ＳＴＥ２１を算出し、当該トラッキングエラー信号ＳＴＥ２１を基に、ＢＤ−ＲＯＭディスクである光ディスク１００（図８）に対応したＤＰＤ法によるトラッキング制御を行うようになされている。
【０１９１】
また光ディスク装置３０は、第１の実施の形態と同様にフォーカスエラー信号ＳＦＥ及び再生ＲＦ信号ＳＲＦを生成するようになされている。
【０１９２】
因みに図２６（Ｂ）では、図１６（Ｂ）と比較して、ビームスポットＰ２１Ａ及びＰ２１Ｃの形成される位置がビームスポットＰ１１Ａ及びＰ１１Ｃと逆になっているものの、光ディスク装置３０では、このことが考慮された上でトラッキングエラー信号ＳＴＥ２１、フォーカスエラー信号ＳＦＥ及び再生ＲＦ信号ＳＲＦ等が算出されるようになされている。
【０１９３】
（３−２−３）１ビームＰＰ法によるトラッキングエラー信号の生成
一方、光ピックアップ１２０（図２３）は、光ディスク１００がＢＤ−ＲＥディスクであった場合、分割導光パターン切換部１２４（図２４）によりスライド板１２５を後方向に移動させ、図２７（Ａ）に示すように、導光領域１２６Ｃ及び１２６Ｄの境界線におけるほぼ中心となる位置に、反射光ビームＬ１３が分割導光板１２６を透過する際の透過断面Ｒ２２の中心を重ねさせる。
【０１９４】
これにより分割導光板１２６は、６つの導光領域１２６Ａ〜１２６Ｆによって、反射光ビームＬ１２を断面形状がそれぞれ透過断面Ｒ２２Ａ〜Ｒ２２Ｆでなる６本の光ビームに分割し、フォトディテクタ５２（図２３）へそれぞれ照射させる。
【０１９５】
この結果、図２７（Ｂ）に示すように、フォトディテクタ５２の検出領域５２Ａ〜５２Ｄは、図１６（Ｂ）における検出領域５２Ａ〜５２Ｄと同様に、透過断面Ｒ２２Ａ〜Ｒ２２Ｆとほぼ相似形でなるビームスポットＰ２２Ａ〜Ｐ２２Ｆが形成され、ビームスポットＰ２２Ａ＋Ｐ２２Ｅ、Ｐ２２Ｂ＋Ｐ２２Ｆ、Ｐ２２Ｃ及びＰ２２Ｄの各光量に応じた４種類の検出信号Ｓ２２Ａ、Ｓ２２Ｂ、Ｓ２２Ｃ及びＳ２２Ｄを生成する。
【０１９６】
これに応じて光ディスク装置３０（図８）は、（５）式と対応する（９）式に従い、検出信号Ｓ２２Ａ〜Ｓ２２Ｄを用いてトラッキングエラー信号ＳＴＥ２２を生成し、ＢＤ−ＲＥディスクである光ディスク１００（図８）に対応した１ビームＰＰ法によるトラッキング制御を行うようになされている。
【０１９７】
【数９】
0004433315.tif 000010
【０１９８】
また光ディスク装置３０は、第１の実施の形態と同様にフォーカスエラー信号ＳＦＥ及び再生ＲＦ信号ＳＲＦを生成するようになされている。
【０１９９】
このように光ピックアップ１２０は、分割パターン切換部１２４によってスライド板１２５を前方向又は後方向へ移動させることにより、分割導光部１２６に対する反射光ビームＬ１３の照射位置を変更させ、このときの照射位置に応じて当該反射光ビームＬ１３の分割パターンを切り換えるようになされている。
【０２００】
（３−３）動作及び効果
以上の構成において、第２の実施の形態による光ピックアップ１２０は、光ディスク１００の種類がＢＤ−ＲＯＭディスク又はＢＤ−ＲＥディスクのいずれであるかに応じて、システムコントローラ３１の制御に基づき分割導光パターン切換部１２４（図２４）のスライド板１２５を移動させることにより、分割導光部１２６に対する反射光ビームＬ１３の照射位置を切り換え、当該反射光ビームＬ１３を４分割又は６分割してフォトディテクタ５２に照射させる。
【０２０１】
ここで分割導光パターン切換部１２４によりスライド板１２５を前方向へ移動させた場合（図２６（Ａ））、フォトディテクタ５２の検出領域５２Ａ〜５２ＤにはビームスポットＰ２１Ａ〜Ｐ２１Ｄ（図２６（Ｂ））が形成され、一方、当該スライド板１２５を後方向へ移動させた場合、フォトディテクタ５２の検出領域５２Ａ、５２Ｂ、５２Ｃ及び５２ＤにはそれぞれビームスポットＰ２２Ａ及びＰ２２Ｅ、Ｐ２２Ｂ及びＰ２２Ｆ、Ｐ２２Ｃ、並びにＰ２２Ｄが形成される。
【０２０２】
従って光ピックアップ１２０は、第１の実施の形態における光ピックアップ３６と同様、反射光ビームＬ１３を４分割するか又は６分割するかといった分割パターンを切り換えることにより、フォトディテクタ５２の検出領域５２Ａ〜５２Ｄにおいて、ＤＰＤ法によるトラッキングエラー信号ＳＴＥ２１を生成するための検出信号Ｓ２１Ａ〜Ｓ２１Ｄをそれぞれ直接生成することができ、或いは１ビームＰＰ法によるトラッキングエラー信号ＳＴＥ２２を生成するための検出信号Ｓ２２Ａ〜Ｓ２２Ｄをそれぞれ直接生成することができる。
【０２０３】
このためフォトディテクタ５２は、検出領域５２Ａ〜５２Ｄのような４つの領域によりトラッキングエラー信号ＳＴＥ２１及びＳＴＥ２２の両方に対応することができ、信号増幅用のアンプも４つで済むため、従来の８分割の場合（図４１（Ｃ））等と比較してアンプの数を削減しアンプノイズによるＲＦ信号の劣化を小さく抑えることができ、またフォトディテクタ５２におけるアンプ用部品の実装面積を削減して当該フォトディテクタ５２の小型化に寄与することができる。
【０２０４】
さらに分割導光パターン切換部１２４は、図１に示したように分割導光板２０及び２１を完全に入れ換える分割導光パターン切換部２４と比較して、スライド板１２５を僅かに移動させるだけで反射光ビームＬ１３の分割パターンを切り換えることができるので、部品点数を削減し得ると共に当該スライド板１２５の移動に必要な空間を小さく抑えて光ピックアップ１２０全体の小型化及び軽量化に寄与することができ、また分割パターンの切換に要する時間を短縮することもできる。
【０２０５】
以上の構成によれば、第２の実施の形態による光ピックアップ１２０は、光ディスク１００の種類に応じて、分割導光パターン切換部１２４のスライド板１２５を移動させて分割導光部１２６に対する反射光ビームＬ１３の照射位置を切り換えることにより、第１の実施の形態における光ピックアップ３６と同様に、当該反射光ビームＬ１３の分割パターンを切り換えることができるので、フォトディテクタ５２の検出領域５２Ａ〜５２Ｄにおいて、ＤＰＤ法によるトラッキングエラー信号ＳＴＥ２１を生成するための検出信号Ｓ２１Ａ〜Ｓ２１Ｄをそれぞれ直接生成することができ、或いは１ビームＰＰ法によるトラッキングエラー信号ＳＴＥ２２を生成するための検出信号Ｓ２２Ａ〜Ｓ２２Ｄをそれぞれ直接生成することができる。
【０２０６】
（４）第３の実施の形態
（４−１）光ピックアップの構成
第３の実施の形態では、光ピックアップ１３０（図２３）の分割導光パターン切換部１３１が第２の実施の形態における分割導光パターン切換部１２４と異なっているものの、他は第２の実施の形態における光ピックアップ１２０と同様に構成されている。
【０２０７】
（４−２）分割導光パターン切換部の構成
分割導光パターン切換部１３１は、第１の実施の形態における分割パターン切換部６１と同様、反射光ビームＬ１３の偏光方向に応じて反射光ビームＬ１３の分割パターンを切り換えるようになされている。図２８に示すように、分割導光パターン切換部１３１は、第１の実施の形態における偏光フィルタ部５４（図１０（Ｂ））の一部と類似した構成を有しており、薄板状でなる３枚の板状部材１３１Ａ〜１３１Ｃが積層されている。
【０２０８】
板状部材１３１Ｃ及び１３１Ｂの間には、第１の実施の形態と同様のアクティブ波長板６５が形成されており、フォーカスサーボ用ホログラム板１２３に形成されたフォーカスサーボ用ホログラム６４により分光された０次光ビームＬ１３、＋１次光ビームＬ１４及び−１次光ビームＬ１５が入射されると、システムコントローラ３１（図８）の制御に基づいて反射光ビームＬ１３〜Ｌ１５の偏光面を任意に回転させ、これを板状部材１３１Ｂへ入射させる。
【０２０９】
板状部材１３１Ｂの下面側及び板状部材１３１Ａの上面側には、分割導光部６６及び６７とそれぞれ対応した分割導光部１３３及び１３４が形成されており、さらに板状部材１３１Ａの上面側には分割導光部１３５が形成されている。
【０２１０】
（４−３）分割導光部の構成
（４−３−１）分割導光部１３３の構成
分割導光部１３３は、分割導光部６６（図１２（Ａ））と同様に複屈折性を有する材料で構成されているものの、図２９（Ａ）に示すように、ホログラムの形成パターンが当該分割導光部６６とは異なっている。すなわち分割導光部１３３は、分割導光部６６における導光領域６６Ａ〜６６Ｄがそれぞれ前後方向に２分割されたような８つの導光領域１３３Ａ〜１３３Ｈに分割されており、導光領域１３３Ａ、１３３Ｂ、１３３Ｅ及び１３３ＦにのみブレーズドＨＯＥでなる偏光ホログラムが形成されている。
【０２１１】
導光領域１３３Ａ及び１３３Ｂは、導光領域６６Ｂ及び６６Ｃ（図１２（Ａ））と同様に、反射光ビームＬ１３の一部を左方向又は右方向へ比較的大きく回折させるようになされている。また導光領域１３３Ｅ及び１３３Ｆは、導光領域６６Ａ及び６６Ｄ（図１２（Ａ））と同様に、反射光ビームＬ１３の一部を左方向又は右方向へ比較的小さく回折させるようになされている。
【０２１２】
これにより分割導光部１３３は、例えば図２９（Ａ）の左右方向に偏光され透過断面Ｒ３１でなる反射光ビームＬ１３が入射された場合、当該反射光ビームＬ１３のうち４つの導光領域１３３Ａ、１３３Ｂ、１３３Ｅ及び１３３Ｆを透過する部分によって、断面形状がそれぞれ透過断面Ｒ３１Ａ、Ｒ３１Ｂ、Ｒ３１Ｅ及びＲ３１Ｆでなる４本の光ビームを形成し、それぞれフォトディテクタ５２（図２３）へ照射させる。
【０２１３】
このとき導光領域１３３Ｃ、１３３Ｄ、１３３Ｇ及び１３３Ｈは、偏光ホログラムが形成されていないため、反射光ビームＬ１３の一部をそのまま透過させる。
【０２１４】
（４−３−２）分割導光部１３４の構成
分割導光部１３４は、分割導光部１３３と同様に複屈折性を有する材料で構成されているものの、分割導光部６６に対する分割導光部６７と同様、当該分割導光部１３３とは偏光方向に対する屈折率が互いに異なるようになされている。
【０２１５】
分割導光部１３４は、図３０（Ａ）に示すように、８つの導光領域１３３Ａ〜１３３Ｈと対応するように８つの導光領域１３４Ａ〜１３４Ｈに分割されているものの、ホログラムの形成パターンが分割導光部１３３と異なっている。
【０２１６】
すなわち導光領域１３４Ａ及び１３４Ｂは、導光領域１３３Ｅ及び１３３Ｆ（図２９（Ａ））と同様のブレーズドＨＯＥでなる偏光ホログラムが形成されており、反射光ビームＬ１３の一部を左方向又は右方向へ比較的大きく回折させるようになされている。また導光領域１３４Ｅ及び１３４Ｆは、導光領域１３３Ａ及び１３３Ｂ（図２９（Ａ））と同様のブレーズドＨＯＥでなる偏光ホログラムが形成されており、反射光ビームＬ１３の一部を左方向又は右方向へ比較的小さく回折させるようになされている。
【０２１７】
これにより分割導光部１３４は、例えば図３０（Ａ）の前後方向に偏光され透過断面Ｒ３２でなる反射光ビームＬ１３が入射された場合、当該反射光ビームＬ１３のうち４つの導光領域１３４Ａ、１３４Ｂ、１３４Ｅ及び１３４Ｆを透過する部分によって、断面形状がそれぞれ透過断面Ｒ３２Ａ、Ｒ３２Ｂ、Ｒ３２Ｅ及びＲ３２Ｆでなる４本の光ビームを形成し、分割導光部１３３と異なる照射パターンでそれぞれフォトディテクタ５２（図２３）へ照射させる。
【０２１８】
このとき導光領域１３４Ｃ、１３４Ｄ、１３４Ｇ及び１３４Ｈは、偏光ホログラムが形成されていないため、反射光ビームＬ１３の一部をそのまま透過させる。
【０２１９】
（４−３−３）分割導光部１３５の構成
一方、分割導光部１３５は、図２９（Ｂ）に示すように、分割導光部１３３と同様に８つの導光領域１３５Ａ〜１３５Ｈに分割されている。この分割導光部１３５は、分割導光部１３３及び１３４においてホログラムが形成された導光領域と相補的な位置関係にある導光領域１３５Ｃ、１３５Ｄ、１３５Ｇ及び１３５Ｈに、無偏光のホログラムが形成されており、他の導光領域１３５Ａ、１３５Ｂ、１３５Ｅ及び１３５Ｆにはホログラムが形成されていない。さらに分割導光部１３５は、複屈折性を有さない材料により構成されている。
【０２２０】
ここで、分割導光部１３５においてホログラムが形成されている導光領域１３５Ｃ、１３５Ｄ、１３５Ｇ及び１３５Ｈは、反射光ビームＬ１３の一部を回折させる際、ＤＰＤ法によるトラッキングエラー信号ＳＴＥ３１を生成する場合と１ビームＰＰ法によるトラッキングエラー信号ＳＴＥ３２を生成する場合とでフォトディテクタ５２への照射領域が共通となる部分（以下、これを共通照射領域と呼ぶ）に相当する。
【０２２１】
導光領域１３５Ｃ及び１３５Ｄは、反射光ビームＬ１３の偏光方向に関わらず、導光領域１３３Ａ及び１３３Ｂと同様に、当該反射光ビームＬ１３の一部を左方向又は右方向へ比較的大きく回折させるようになされている。また導光領域１３５Ｇ及び１３５Ｈは、反射光ビームＬ１３の偏光方向に関わらず、導光領域１３３Ｅ及び１３３Ｆと同様に、当該反射光ビームＬ１３の一部を左方向又は右方向へ比較的小さく回折させるようになされている。
【０２２２】
実際上、光ピックアップ１２０（図２３）は、光ディスク１００がＢＤ−ＲＯＭディスクであった場合、アクティブ波長板６５の液晶セルへの印加電圧を変更することにより、偏光方向が左右方向となった反射光ビームＬ１３〜Ｌ１５を透過させる。
【０２２３】
これにより分割導光部１３５は、透過断面Ｒ３３でなる反射光ビームＬ１３が入射された場合、４つの導光領域１３５Ｃ、１３５Ｄ、１３５Ｇ及び１３５Ｈによって断面形状がそれぞれ透過断面Ｒ３３Ｃ、Ｒ３３Ｄ、Ｒ３３Ｇ及びＲ３３Ｈでなる４本の光ビームを形成し、それぞれフォトディテクタ５２（図２３）へ照射させる。
【０２２４】
このとき導光領域１３５Ａ、１３５Ｂ、１３５Ｅ及び１３５Ｆは、ホログラムが形成されていないため、反射光ビームＬ１３の一部をそのまま透過させる。
【０２２５】
このように分割導光パターン切換部１３１は、光ビームの偏光方向に応じて回折作用を呈し偏光方向に対する屈折率が互いに異なる分割導光部１３３及び１３４と、偏光方向に依存せず回折作用を呈する分割導光部１３５とが組み合わされて構成されている。
【０２２６】
（４−４）トラッキングエラー信号の生成
（４−４−１）ＤＰＤ法によるトラッキングエラー信号の生成
実際上、光ディスク１００がＢＤ−ＲＯＭディスクであった場合、光ピックアップ１３０は、アクティブ波長板６５の液晶セルへの印加電圧を変更することにより、偏光方向が図２９（Ａ）の左右方向となった反射光ビームＬ１３〜Ｌ１５を透過させる。
【０２２７】
これに応じて分割導光パターン切換部１３１は、反射光ビームＬ１３に対して分割導光板１３３及び１３５を作用させることになり、当該反射光ビームＬ１３を分割してフォトディテクタ５２へ照射する。
【０２２８】
この結果、フォトディテクタ５２は、図２９（Ｃ）に示すように、検出領域５２Ａに透過断面Ｒ３１Ｅ及びＲ３３Ｇとほぼ相似形でなるビームスポットＰ３１Ｅ及びＰ３３Ｇが形成され、検出領域５２Ｂに透過断面Ｒ３１Ｆ及びＲ３３Ｈとほぼ相似形でなるビームスポットＰ３１Ｆ及びＰ３３Ｈが形成される。
【０２２９】
同様にフォトディテクタ５２は、検出領域５２Ｃに透過断面Ｒ３１Ａ及びＲ３３Ｃとほぼ相似形でなるビームスポットＰ３１Ａ及びＰ３３Ｃが形成され、検出領域５２Ｄに透過断面Ｒ３１Ｂ及びＲ３３Ｄとほぼ相似形でなるビームスポットＰ３１Ｂ及びＰ３３Ｄが形成される。
【０２３０】
ここで、検出領域５２Ａに形成されたビームスポットＰ３１Ｅ及びＰ３３Ｇは、全体として第２の実施の形態におけるビームスポットＰ２１Ａとほぼ同等の形状となっている。このため検出領域５２Ａは、第２の実施の形態における検出信号Ｓ２１Ａと同等の検出信号Ｓ３１Ａを生成する。
【０２３１】
また他の検出領域５２Ｂ〜５２Ｄにおいても、同様にそれぞれにおけるビームスポットの全体的な形状が第２の実施の形態におけるビームスポットＰ２１Ｂ〜Ｐ２１Ｄとほぼ同等の形状となっている。このため検出領域５２Ｂ〜５２Ｄは、第２の実施の形態における検出信号Ｓ２１Ｂ〜Ｓ２１Ｄと同等の検出信号Ｓ３１Ｂ〜Ｓ３１Ｄを生成する。
【０２３２】
この結果、光ディスク装置３０（図８）は、第２の実施の形態と同様に、検出信号Ｓ３１Ａ〜Ｓ３１Ｄの位相差を用いてトラッキングエラー信号ＳＴＥ３１を算出することができ、当該トラッキングエラー信号ＳＴＥ３１を基に、ＢＤ−ＲＯＭディスクである光ディスク１００（図８）に対応したＤＰＤ法によるトラッキング制御を行うことができる。
【０２３３】
（４−４−２）１ビームＰＰ法によるトラッキングエラー信号の生成
一方、光ディスク１００がＢＤ−ＲＥディスクであった場合、光ピックアップ１３０は、アクティブ波長板６５の液晶セルへの印加電圧を変更することにより、偏光方向が図３０（Ａ）の前後方向となった反射光ビームＬ１３〜Ｌ１５を透過させる。
【０２３４】
これに応じて分割導光パターン切換部１３１は、反射光ビームＬ１３に対して分割導光板１３３及び１３５を作用させることになり、当該反射光ビームＬ１３を分割してフォトディテクタ５２へ照射する。
【０２３５】
この結果、フォトディテクタ５２は、図３０（Ｃ）に示すように、検出領域５２Ａに透過断面Ｒ３２Ａ及びＲ３３Ｇとほぼ相似形でなるビームスポットＰ３２Ａ及びＰ３３Ｇが形成され、検出領域５２Ｂに透過断面Ｒ３２Ｂ及びＲ３３Ｈとほぼ相似形でなるビームスポットＰ３２Ｂ及びＰ３３Ｈが形成される。
【０２３６】
同様にフォトディテクタ５２は、検出領域５２Ｃに透過断面Ｒ３３Ｃ及びＲ３２Ｅとほぼ相似形でなるビームスポットＰ３３Ｃ及びＰ３２Ｅが形成され、検出領域５２Ｄに透過断面Ｒ３３Ｄ及びＲ３２Ｆとほぼ相似形でなるビームスポットＰ３３Ｄ及びＰ３２Ｆが形成される。
【０２３７】
ここで、検出領域５２Ａに形成されたビームスポットＰ３２Ａ及びＰ３３Ｇは、第２の実施の形態におけるビームスポットＰ２２Ａ及びＰ２２Ｅとほぼ同等の形状となっている。このため、検出領域５２Ａは、第２の実施の形態における検出信号Ｓ２２Ａと同等の検出信号Ｓ３２Ａを生成することができる。
【０２３８】
また検出領域５２Ｃに形成されたビームスポットＰ３３Ｃ及びＰ３２Ｅは、全体として第２の実施の形態におけるビームスポットＰ２２Ｃとほぼ同等の形状となっている。このため、検出領域５２Ａは、第２の実施の形態における検出信号Ｓ２２Ｃと同等の検出信号Ｓ３２Ｃを生成する。
【０２３９】
さらに残りの検出領域５２Ｂ及び５２Ｄにおいても、それぞれ検出領域５２Ａ及び５２Ｄと同様に、第２の実施の形態における検出信号Ｓ２２Ｂ及びＳ２２Ｄと同等の検出信号Ｓ３２Ｂ及びＳ３２Ｄをそれぞれ生成する。
【０２４０】
この結果、光ディスク装置３０（図８）は、（５）式と対応する（１０）式に従い、検出信号Ｓ３２Ａ〜Ｓ３２Ｄを用いてトラッキングエラー信号ＳＴＥ３２を生成し、ＢＤ−ＲＥディスクである光ディスク１００（図８）に対応した１ビームＰＰ法によるトラッキング制御を行うことができる。
【０２４１】
【数１０】
0004433315.tif 000011
【０２４２】
このように第３の実施の形態における光ピックアップ１３０は、偏光ホログラムが形成された分割導光部１３３又は１３４と通常のホログラムが形成された分割導光部１３５とを組み合わせることにより、第１の実施の形態における分割導光部６６又は６７と同様に、反射光ビームＬ１３を４つの検出領域５２Ａ〜５２Ｄに振り分けて照射させることができる。
【０２４３】
（４−５）動作及び効果
以上の構成において、第３の実施の形態による光ピックアップ１３０は、第１の実施の形態における光ピックアップ３６と同様に、光ディスク１００の種類がＢＤ−ＲＯＭディスク又はＢＤ−ＲＥディスクのいずれであるかに応じて、システムコントローラ３１の制御に基づき分割導光パターン切換部１３１（図２８）のアクティブ波長板６５における液晶セルへの印加電圧を切り換えることにより反射光ビームＬ１３の偏光方向を切り換える。
【０２４４】
さらに光ピックアップ１３０は、反射光ビームＬ１３の偏光方向に応じて、分割導光部１３３及び１３５を組み合わせるか、或いは分割導光部１３４及び１３５を組み合わせるかを切り換えた上で、当該反射光ビームＬ１３を部分毎に回折作用させることにより、当該反射光ビームＬ１３を４つの検出領域５２Ａ〜５２Ｄに振り分けて照射させる。
【０２４５】
ここで分割導光部１３３及び１３５を作用させる場合、フォトディテクタ５２の検出領域５２Ａ、５２Ｂ、５２Ｃ及び５２Ｄには、図２９（Ｃ）に示したように、全体的な形状がそれぞれビームスポットＰ２１Ａ、Ｐ２１Ｂ、Ｐ２１Ｃ及びＰ２１Ｄ（図２６（Ｂ））とほぼ同様でなる、ビームスポットＰ３１Ｅ及びＰ３３Ｇ、Ｐ３１Ｆ及びＰ３３Ｈ、Ｐ３１Ａ及びＰ３３Ｃ、並びにＰ３１Ｂ及びＰ３３Ｄがそれぞれ形成される。
【０２４６】
また分割導光部１３４及び１３５を作用させる場合、フォトディテクタ５２の検出領域５２Ａ、５２Ｂ、５２Ｃ及び５２Ｄには、図３０（Ｃ）に示したように、全体的な形状がそれぞれビームスポットＰ２２Ａ及びＰ２２Ｅ、Ｐ２２Ｂ及びＰ２２Ｆ、Ｐ２２Ｃ並びにＰ２２Ｄ（図２７（Ｂ））とほぼ同様でなる、ビームスポットＰ３２Ａ及びＰ３３Ｇ、Ｐ３２Ｂ及びＰ３３Ｈ、Ｐ３３Ｃ及びＰ３２Ｅ、並びにＰ３３Ｄ及びＰ３２Ｆがそれぞれ形成される。
【０２４７】
従って光ピックアップ１３０は、第１の実施の形態における光ピックアップ３６と同様、反射光ビームＬ１３の分割パターンを切り換えることにより、フォトディテクタ５２の検出領域５２Ａ〜５２Ｄにおいて、ＤＰＤ法によるトラッキングエラー信号ＳＴＥ３１を生成するための検出信号Ｓ３１Ａ〜Ｓ３１Ｄをそれぞれ直接生成することができ、或いは１ビームＰＰ法によるトラッキングエラー信号ＳＴＥ３２を生成するための検出信号Ｓ３２Ａ〜Ｓ３２Ｄをそれぞれ直接生成することができる。
【０２４８】
このため光ピックアップ１３０は、第１の実施の形態における光ピックアップ３６と同様の作用効果を得ることができる。
【０２４９】
この場合、光ピックアップ１３０は、分割導光部６６及び６７においてホログラムが形成されておらず光ビームの透過率が高い領域（すなわち導光領域１３３Ｃ、１３３Ｄ、１３３Ｇ、１３３Ｈ、１３４Ｃ、１３４Ｄ、１３４Ｇ及び１３４Ｈ）により、反射光ビームＬ１３のうち共通照射領域に相当する部分を素通しさせ、分割導光部１３５における導光領域１３５Ｃ、１３５Ｄ、１３５Ｇ及び１３５Ｈによりホログラムを１回のみ通過させることになる。
【０２５０】
これにより光ピックアップ１３０は、第１の実施の形態における分割導光部６６及び分割導光部６７のように偏光ホログラムを２回通過させる場合よりも、光ビームの透過効率を向上させることができる。
【０２５１】
以上の構成によれば、第３の実施の形態による光ピックアップ１３０は、光ディスク１００の種類に応じて、分割導光パターン切換部１３１のアクティブ波長板６５により反射光ビームＬ１３の偏光方向を切り換え、当該反射光ビームＬ１３の偏光方向に応じて分割導光部１３３及び１３５を組み合わせて、又は分割導光部１３４及び１３５を組み合わせて当該反射光ビームＬ１３を部分毎に回折作用させることにより、第１の実施の形態における光ピックアップ３６と同様に、当該反射光ビームＬ１３をフォトディテクタ５２の４つの検出領域５２Ａ〜５２Ｄに振り分けて照射することができ、当該検出領域５２Ａ〜５２Ｄにおいて、ＤＰＤ法によるトラッキングエラー信号ＳＴＥ３１を生成するための検出信号Ｓ３１Ａ〜Ｓ３１Ｄをそれぞれ直接生成することができ、或いは１ビームＰＰ法によるトラッキングエラー信号ＳＴＥ３２を生成するための検出信号Ｓ３２Ａ〜Ｓ３２Ｄをそれぞれ直接生成することができる。
【０２５２】
（５）第４の実施の形態
（５−１）光ピックアップの構成
第４の実施の形態では、光ピックアップ１４０（図９）の光集積素子１４１が第１の実施の形態における光集積素子４０と異なっているものの、他は第１の実施の形態における光ピックアップ３６と同様に構成されている。
【０２５３】
光集積素子１４１（図１０（Ａ））は、偏光フィルタ部１４２が第１の実施の形態における偏光フィルタ部５４と一部異なる構成を有しており、他の部分は当該偏光フィルタ部５４と同様に構成されている。
【０２５４】
（５−２）偏光フィルタ部の構成
図１０（Ｂ）との対応箇所に同一符号を付した図３１に示すように、偏光フィルタ部１４２は、板状部材５４Ａ〜５４Ｄ（図１０（Ｂ））と同様に薄板状に構成された板状部材１４２Ａ〜１４２Ｄが積層されている。この偏光フィルタ部１４２は、フォーカスサーボ用ホログラム６４が板状部材１４２Ｄの下面ではなく板状部材１４２Ａの下面に形成されている点が異なっているものの、他は偏光フィルタ部５４（図１０（Ｂ））と同様に構成されている。
【０２５５】
このため光ピックアップ１４０は、例えば光ディスク１００（図８）がＢＤ−ＲＥディスクであった場合、図１５（Ｂ）と対応する図３２に示すように、偏光フィルタ部１４２のアクティブ波長板６５及び分割導光部６７によって反射光ビームＬ１３を分割光ビームＬ１６Ａ〜Ｌ１６Ｄ又は分割光ビームＬ１７Ａ〜Ｌ１７Ｇに分割した後、フォーカスサーボ用ホログラム６４によってフォーカスサーボ用の反射光ビームＬ４４及びＬ４５（いずれも実際には７本の光ビームでなる）を分光するようになされている。
【０２５６】
因みに光ピックアップ１４０は、光ディスク１００（図８）がＢＤ−ＲＯＭディスクであった場合にも、ＢＤ−ＲＥディスクであった場合と同様に、フォーカスエラー信号ＳＦＥの精度を低下させてしまう可能性を低減することができる。
【０２５７】
（５−３）動作及び効果
以上の構成において、第４の実施の形態による光ピックアップ１４０は、第１の実施の形態における光ピックアップ３６と同様に、光ディスク１００の種類がＢＤ−ＲＯＭディスク又はＢＤ−ＲＥディスクのいずれであるかに応じて、アクティブ波長板６５により反射光ビームＬ１３の偏光方向を切り換え、当該反射光ビームＬ１３の偏光方向に応じて分割導光部６６又は分割導光部６７を作用させることにより当該反射光ビームＬ１３を分割光ビームＬ１６Ａ〜Ｌ１６Ｄ又は分割光ビームＬ１７Ａ〜Ｌ１７Ｇに分割した後、フォーカスサーボ用ホログラム６４によってフォーカスサーボ用の反射光ビームＬ４４及びＬ４５を分光して、フォトディテクタ５２に照射させる。
【０２５８】
ここで分割導光部６６が作用する場合、フォトディテクタ５２の検出領域５２Ａ〜５２ＤにはビームスポットＰ１１Ａ〜Ｐ１１Ｄ（図１６（Ａ））が形成され、一方、分割導光部６７が作用する場合、フォトディテクタ５２の検出領域５２Ａ〜５２ＤにはそれぞれビームスポットＰ１２Ａ及びＰ１２Ｅ、Ｐ１２Ｂ及びＰ１２Ｆ、Ｐ１２Ｃ、Ｐ１２Ｄが形成される。
【０２５９】
従って光ピックアップ１４０は、第１の実施の形態における光ピックアップ３６と同様、反射光ビームＬ１３を４分割するか又は６分割するかといった分割パターンを切り換えることにより、フォトディテクタ５２の検出領域５２Ａ〜５２Ｄにおいて、ＤＰＤ法によるトラッキングエラー信号ＳＴＥ２１を生成するための検出信号Ｓ２１Ａ〜Ｓ２１Ｄをそれぞれ直接生成することができ、或いは１ビームＰＰ法によるトラッキングエラー信号ＳＴＥ２２を生成するための検出信号Ｓ２２Ａ〜Ｓ２２Ｄをそれぞれ直接生成することができる。
【０２６０】
ところで、第１の実施の形態におけるフォーカスサーボ用の反射光ビームＬ１４及びＬ１５は、フォーカスサーボ用ホログラム６４によって分光された後、アクティブ波長板６５、分割導光部６６及び６７を通過することにより、図１６（Ｂ）にビームスポットを示したように、実際には７本の分割光ビームに分割されている。
【０２６１】
このとき反射光ビームＬ１４及びＬ１５は、製造上の都合等に起因して、分割導光部６６及び６７の各導光領域により光ビームの透過効率が異なる可能性がある。このため、フォトディテクタ５２において、最終的に検出領域５２Ｈ〜５２Ｊ及び５２Ｋ〜５２Ｍに形成されるビームスポットの光量が一様ではなくなる可能性がある。この結果、光ピックアップ３６は、フォーカスエラー信号ＳＦＥの精度を低下させてしまう可能性があった。
【０２６２】
これに対して第４の実施の形態では、アクティブ波長板６５、分割導光部６６及び６７により反射光ビームＬ１３を７本の光ビームに分割した後で、ほぼ一様の回折パターンが全面に形成されたフォーカスサーボ用ホログラム６４によりフォーカスサーボ用の反射光ビームＬ４４及びＬ４５（いずれも実際には７本の光ビームでなる）を分光する。
【０２６３】
これにより光ピックアップ１４０は、フォトディテクタ５２の検出領域５２Ｈ〜５２Ｊ及び５２Ｋ〜５２Ｍに形成されるビームスポットの光量が一様ではなくなる可能性を低減することができ、フォーカスエラー信号ＳＦＥの精度を低下させてしまう可能性を低減することができる。
【０２６４】
以上の構成によれば、第４の実施の形態による光ピックアップ１４０は、光ディスク１００の種類に応じて、偏光フィルタ部１４２における分割導光パターン切換部６１のアクティブ波長板６５により反射光ビームＬ１３の偏光方向を切り換え、当該反射光ビームＬ１３の偏光方向に応じて分割導光部６６又は６７により当該反射光ビームＬ１３を４分割又は７分割させた後にフォーカスサーボ用の反射光ビームＬ４４及びＬ４５を分光することにより、第１の実施の形態における光ピックアップ３６と同様に、当該反射光ビームＬ１３をフォトディテクタ５２の４つの検出領域５２Ａ〜５２Ｄに振り分けて照射することができるので、当該検出領域５２Ａ〜５２Ｄにおいて、ＤＰＤ法によるトラッキングエラー信号ＳＴＥ３１を生成するための検出信号Ｓ３１Ａ〜Ｓ３１Ｄをそれぞれ直接生成することができ、或いは１ビームＰＰ法によるトラッキングエラー信号ＳＴＥ３２を生成するための検出信号Ｓ３２Ａ〜Ｓ３２Ｄをそれぞれ直接生成することができる。
【０２６５】
（６）第５の実施の形態
（６−１）光ピックアップの構成
第５の実施の形態では、図２３との対応部分に同一符号を付した図３３に示すように、光ピックアップ１５０が第２の実施の形態における光ピックアップ１２０と一部異なる構成を有している。この光ピックアップ１５０は、光ピックアップ１２０と比較して、分割導光パターン切換部１２４及びフォトディテクタ５２に代えて分割導光パターン切換部１５１及びフォトディテクタ１５３が設けられ、さらにシリンドリカルレンズ１５２が設けられている点が異なっているものの、他は当該光ピックアップ１２０と同様に構成されている。
【０２６６】
光ピックアップ１５０は、図３４に一部を拡大して示すように、分割導光パターン切換部１５１が第１の実施の形態における偏光フィルタ部５４（図１０（Ｂ））の一部と類似した構成を有しており、薄板状でなる３枚の板状部材１５１Ａ〜１５１Ｃが積層されている。
【０２６７】
板状部材１５１Ｃ及び１５１Ｂの間には、第１の実施の形態と同様のアクティブ波長板６５が形成されており、フォーカスサーボ用ホログラム板１２３に形成されたフォーカスサーボ用ホログラム６４により分光された０次光ビームＬ１３、＋１次光ビームＬ１４及び−１次光ビームＬ１５が入射されると、システムコントローラ３１（図８）の制御に基づいて反射光ビームＬ１３〜Ｌ１５の偏光面を任意に回転させ、これを板状部材１５１Ｂへ入射させる。
【０２６８】
板状部材１５１Ｂの下面側及び板状部材１５１Ａの上面側には、分割導光部６６及び６７とそれぞれ対応した分割導光部１５６及び１５７が形成されている。
【０２６９】
またシリンドリカルレンズ１５２は、分割導光パターン切換部１５１から照射される光ビームを図の左右方向に広げてフォトディテクタ１５３へ照射するようになされている。
【０２７０】
（６−２）分割導光部の構成
（６−２−１）分割導光部１５６の構成
分割導光部１５６は、分割導光部６６（図１２（Ａ））と同様に複屈折性を有する材料で構成されているものの、図３５（Ａ）に示すように、ホログラムの形成パターンが当該分割導光部６６とは異なっている。すなわち分割導光部１５６は、分割導光部６６における導光領域６６Ａ及び６６Ｂ、６６Ｃ及び６６Ｄがそれぞれ統合されたような２つの導光領域１５６Ａ及び１５６Ｂに分割されており、導光領域１５６ＢにのみブレーズドＨＯＥでなる偏光ホログラムが形成されている。
【０２７１】
導光領域１５６Ｂは、導光領域６６Ａ（図１２（Ａ））と同様に、反射光ビームＬ１３の一部を左方向へ回折させるようになされている。一方、導光領域１５６Ａは、偏光ホログラムが形成されていないため、反射光ビームＬ１３の一部をそのまま透過させる。
【０２７２】
実際上、光ディスク１００がＢＤ−ＲＯＭディスクであった場合、光ピックアップ１５０は、アクティブ波長板６５の液晶セルへの印加電圧を変更することにより、偏光方向が図３５（Ａ）の左右方向となった反射光ビームＬ１３を透過させ、分割導光部１５６へ入射させる。
【０２７３】
分割導光部１５６（図３５（Ａ））は、透過断面Ｒ５１でなる反射光ビームＬ１３の偏光方向に応じて回折作用を呈し、透過断面Ｒ５１Ａでなる光ビームを回折させない（すなわち直進させる）と共に透過断面Ｒ５１Ｂでなる光ビームを図の左方向へ回折させる。さらにシリンドリカルレンズ１５２は、分割導光部１５６を通過した各光ビームを図３５（Ａ）における横方向に広げさせた上で、フォトディテクタ１５３へ照射させる。
【０２７４】
これに応じてフォトディテクタ１５３は、図３５（Ｂ）に示すように、透過断面Ｒ５１Ａが左右方向に広げられたような半楕円形状でなるビームスポットＰ５１Ａが検出領域１５３Ｂ及び１５３Ｄにまたがるように形成され、透過断面Ｒ５１Ｂが左右方向に広げられたような半楕円形状でなるビームスポットＰ５１Ｂが検出領域１５３Ａ及び１５３Ｃにまたがるように形成される。
【０２７５】
ここでフォトディテクタ１５３では、検出領域１５３Ｂ及び１５３Ｄの境界線がビームスポットＰ５１Ａのほぼ中心となり、且つ検出領域１５３Ａ及び１５３Ｃの境界線がビームスポットＰ５１Ｂのほぼ中心となるような位置に設けられている。
【０２７６】
これによりフォトディテクタ１５３は、検出領域１５３Ｂ、１５３Ｄ、１５３Ｃ及び１５３Ａにおいて、それぞれ透過断面Ｒ５１Ａの左半分、右半分、透過断面Ｒ５１Ｂの左半分及び右半分に相当するビームスポットがそれぞれ形成されることになる。
【０２７７】
この結果、検出領域１５３Ａは、第２の実施の形態におけるビームスポットＰ２１Ｂ（図２６（Ｂ））に相当する光量を検出することになるため、検出信号Ｓ２１Ｂと同等の検出信号Ｓ５１Ａを生成する。
【０２７８】
また他の検出領域１５３Ｂ、１５３Ｃ及び１５３Ｄにおいても、同様に第２の実施の形態における検出信号Ｓ２１Ｃ、Ｓ２１Ａ及びＳ２１Ｄと同等の検出信号Ｓ５１Ｂ、Ｓ５１Ｃ及びＳ５１Ｄを生成する。
【０２７９】
これに応じて光ディスク装置３０（図８）は、第２の実施の形態と同様の演算処理により、検出信号Ｓ５１Ａ〜Ｓ５１Ｄの位相差を用いてトラッキングエラー信号ＳＴＥ５１を算出することができ、当該トラッキングエラー信号ＳＴＥ５１を基に、ＢＤ−ＲＯＭディスクである光ディスク１００（図８）に対応したＤＰＤ法によるトラッキング制御を行うことができる。
【０２８０】
（６−２−２）分割導光部１５７の構成
分割導光部１５７は、分割導光部６７（図１３（Ａ））と同様に複屈折性を有する材料で構成されているものの、図３６（Ａ）に示すように、ブレーズドＨＯＥでなる偏光ホログラムの形成パターンが当該分割導光部６７とは異なっている。すなわち分割導光部１５７は、分割導光部６７における導光領域６７Ａ及び６７Ｂ、６７Ｃ、６７Ｄ及び６７Ｇ、６７Ｅ及び６７Ｆがそれぞれ統合されたような３つの導光領域１５７Ａ、１５７Ｂ及び１５７Ｃに分割されており、導光領域１５７Ａ及び１５７ＣにブレーズドＨＯＥでなる偏光ホログラムが形成されている。
【０２８１】
導光領域１５７Ａ及び１５７Ｃは、導光領域１５６Ｂ（図３５（Ａ））と同様に、反射光ビームＬ１３の一部を左方向へ回折させるようになされている。一方、導光領域１５７Ｂは、偏光ホログラムが形成されていないため、反射光ビームＬ１３の一部をそのまま透過させる。
【０２８２】
実際上、光ディスク１００がＢＤ−ＲＥディスクであった場合、光ピックアップ１５０は、アクティブ波長板６５の液晶セルへの印加電圧を変更することにより、偏光方向が図３６（Ａ）の前後方向となった反射光ビームＬ１３を透過させ、分割導光部１５７へ入射させる。
【０２８３】
分割導光部１５７（図３６（Ａ））は、透過断面がＲ５２のように円形でなる反射光ビームＬ１３の偏光方向に応じて回折作用を呈し、透過断面Ｒ５２Ｂでなる光ビームを回折させない（すなわち直進させる）と共に透過断面Ｒ５２Ａ及びＲ５２Ｃでなる光ビームを図の左方向へ回折させる。さらにシリンドリカルレンズ１５２は、分割導光部１５７を通過した光ビームを図３６（Ａ）における横方向に広げさせた上で、フォトディテクタ１５３へ照射させる。
【０２８４】
これに応じてフォトディテクタ１５３は、図３６（Ｂ）に示すように、透過断面Ｒ５２Ａ及びＲ５２Ｃが左右方向に広げられたような形状でなるビームスポットＰ５２Ａ及びＰ５２Ｃが検出領域１５３Ａ及び１５３Ｃにまたがるように形成され、透過断面Ｒ５２Ｂが左右方向に広げられたような形状でなるビームスポットＰ５２Ｂが検出領域１５３Ｂ及び１５３Ｄにまたがるように形成される。
【０２８５】
ここでフォトディテクタ１５３では、光ディスク１００がＢＤ−ＲＯＭディスクであった場合と同様、検出領域１５３Ａ及び１５３Ｃの境界線がビームスポットＰ５２Ａ及びＰ５２Ｃのほぼ中心となり、且つ検出領域１５３Ｂ及び１５３Ｄの境界線がビームスポットＰ５２Ｂのほぼ中心となるような位置に設けられている。
【０２８６】
これによりフォトディテクタ１５３は、検出領域１５３Ｃ、１５３Ａ、１５３Ｂ及び１５３Ｄにおいて、それぞれ透過断面Ｒ５２Ａ及びＲ５２Ｃの左半分、右半分、透過断面Ｒ５２Ｂの左半分及び右半分に相当するビームスポットが形成されることになる。
【０２８７】
この結果、検出領域１５３Ａは、第２の実施の形態におけるビームスポットＰ２２Ｂ及びＰ２２Ｆ（図２７（Ｂ））に相当する光量を検出することになるため、検出信号Ｓ２２Ｂと同等の検出信号Ｓ５２Ａを生成する。
【０２８８】
また検出領域１５３Ｂは、第２の実施の形態におけるビームスポットＰ２２Ｃ（図２７（Ｂ））に相当する光量を検出することになるため、検出信号Ｓ２２Ｃと同等の検出信号Ｓ５２Ｂを生成する。
【０２８９】
さらに検出領域１５３Ｃ及び１５３Ｄにおいても、同様に第２の実施の形態における検出信号Ｓ２２Ａ及びＳ２２Ｄと同等の検出信号Ｓ５２Ｃ及びＳ５２Ｄを生成する。
【０２９０】
この結果、光ディスク装置３０（図８）は、（５）式と対応する（１１）式に従い、検出信号Ｓ５２Ａ〜Ｓ５２Ｄを用いてトラッキングエラー信号ＳＴＥ５２を算出することができ、当該トラッキングエラー信号ＳＴＥ５２を基に、ＢＤ−ＲＥディスクである光ディスク１００（図８）に対応した１ビームＰＰ法によるトラッキング制御を行うことができる。
【０２９１】
【数１１】
0004433315.tif 000012
【０２９２】
このように第５の実施の形態における光ピックアップ１５０は、光ディスク１００の種類に応じて、分割導光部１５６又は１５７により反射光ビームＬ１３を前後方向に分割し、フォトディテクタ５２における各検出領域の境界によって各ビームスポットを分割することにより、第１の実施の形態における光ピックアップ３６と同様に、反射光ビームＬ１３を４つの検出領域１５３Ａ〜１５３Ｄに振り分けられた状態で検出することができる。
【０２９３】
（６−３）動作及び効果
以上の構成において、第５の実施の形態による光ピックアップ１５０は、第１の実施の形態と同様に、光ディスク１００の種類がＢＤ−ＲＯＭディスク又はＢＤ−ＲＥディスクのいずれであるかに応じて、システムコントローラ３１の制御に基づき分割導光パターン切換部１５１（図３４）のアクティブ波長板６５における液晶セルへの印加電圧を切り換えることにより反射光ビームＬ１３の偏光方向を切り換える。
【０２９４】
続いて光ピックアップ１３０は、反射光ビームＬ１３の偏光方向に応じて、分割導光部１５６又は１５７により当該反射光ビームＬ１３を部分毎に回折又は透過させ、さらにシリンドリカルレンズ１５２により図３５（Ａ）又は図３６（Ａ）における横方向に広げさせた上で、当該反射光ビームＬ１３を検出領域１５３Ａ及び１５３Ｃと、検出領域１５３Ｂ及び１５３Ｄとにそれぞれまたがるように照射させる。
【０２９５】
ここで分割導光部１５６が作用する場合、フォトディテクタ１５３の検出領域１５３Ａ、１５３Ｂ、１５３Ｃ及び１５３Ｄには、図３５（Ｂ）に示したように、それぞれビームスポットＰ２１Ｂ、Ｐ２１Ｃ、Ｐ２１Ａ及びＰ２１Ｄ（図２６（Ｂ））に相当する、ビームスポットＰ５１Ｂの右半分、Ｐ５１Ａの左半分、Ｐ５１Ｂの左半分及びＰ５１Ａの右半分が形成される。
【０２９６】
また分割導光部１５７が作用する場合、フォトディテクタ１５３の検出領域１５３Ａ、１５３Ｂ、１５３Ｃ及び１５３Ｄには、図３６（Ｂ）に示したように、それぞれビームスポットＰ２２Ｂ及びＰ２２Ｆ、Ｐ２２Ｃ、Ｐ２２Ａ及びＰ２２Ｅ、並びにＰ２２Ｄ（図２７（Ｂ））に相当する、ビームスポットＰ５２Ａ及びＰ５２Ｃの右半分、Ｐ５２Ｂの左半分、Ｐ５２Ａ及びＰ５２Ｃの左半分、並びにＰ５２Ｂの右半分がそれぞれ形成される。
【０２９７】
従って光ピックアップ１５０は、第１の実施の形態における光ピックアップ３６と同様、反射光ビームＬ１３の分割パターンを切り換えることにより、フォトディテクタ１５３の検出領域１５３Ａ〜１５３Ｄにおいて、ＤＰＤ法によるトラッキングエラー信号ＳＴＥ５１を生成するための検出信号Ｓ５１Ａ〜Ｓ５１Ｄをそれぞれ直接生成することができ、或いは１ビームＰＰ法によるトラッキングエラー信号ＳＴＥ５２を生成するための検出信号Ｓ５２Ａ〜Ｓ５２Ｄをそれぞれ直接生成することができる。
【０２９８】
このため光ピックアップ１３０は、第１の実施の形態における光ピックアップ３６と同様の作用効果を得ることができる。
【０２９９】
このとき光ピックアップ１５０は、分割導光部１５６及び１５７では反射光ビームＬ１３を前後方向に関してのみ分割するものの、フォトディテクタ１５３における各検出領域の境界部分を利用して各ビームスポットを左右方向に分割することにより、結果的に４つの検出領域１５３Ａ〜１５３ＤにおいてＤＰＤ法又は１ビームＰＰ法のいずれによるトラッキングエラー信号にも対応し得る４種類の検出信号Ｓ５１Ａ〜Ｓ５１Ｄ又はＳ５２Ａ〜Ｓ５２Ｄを直接的に生成することができる。
【０３００】
この場合、光ピックアップ１５０は、仮にフォトディテクタ１５３の取付位置が反射光ビームＬ１３の光軸から左右方向にずれていた場合、検出領域１５３Ａ及び１５３Ｃ、並びに検出領域１５３Ｂ及び１５３Ｄに形成されるビームスポットの割合が偏り、検出信号も変化することになる。
【０３０１】
このとき光ピックアップ１５０は、このビームスポットから検出した光量の偏り度合いを利用することにより、反射光ビームＬ１３の光軸に対するフォトディテクタ１５３のずれ量を逆算することもできる。このことを利用して、例えば光ピックアップ１５０の製造工程において、フォトディテクタ１５３の取付位置を微調整する場合などに、このビームスポットの偏り度合いに応じた調整作業を行うことにより、フォトディテクタ１５３を反射光ビームＬ１３の光軸に合わせることも可能となる。
【０３０２】
また光ピックアップ１５０は、分割導光部１５６又は１５７により、反射光ビームＬ１３を部分的に左方向へ回折させると共に透過（すなわち直進）させており、右方向へ回折させていない。このため、フォトディテクタ１５３は、右方向及び左方向の両方へ回折させる光ピックアップ３６（図９）におけるフォトディテクタ５２（図１４）と比較して、検出領域を左右方向に関して小さく構成することができ、光ピックアップ１５０全体の小型化や軽量化に寄与することができる。
【０３０３】
さらに光ピックアップ１５０は、シリンドリカルレンズ１５２により反射光ビームＬ１３を図３４における左右方向に広げることにより、検出領域１５３Ａ〜１５３Ｄに照射されるビームスポットを広げることができる。これにより光ピックアップ１５０は、当該シリンドリカルレンズ１５２を用いなかった場合と比較して、当該検出領域１５３Ａ〜１５３Ｄをより広く利用して各光量を検出する際の信頼性を向上させることができる。
【０３０４】
さらに光ピックアップ１５０は、分割導光部１５６の導光領域１５６Ａ及び分割導光部１５７の導光領域１５７Ａにホログラムが形成されていないため、第２の実施の形態における分割導光部１２６のように反射光ビームＬ１３が照射される全面にホログラムが形成されている場合よりも、光ビームの透過効率を向上させることができる。
【０３０５】
以上の構成によれば、第５の実施の形態による光ピックアップ１５０は、光ディスク１００の種類に応じて、分割導光パターン切換部１５１のアクティブ波長板６５により反射光ビームＬ１３の偏光方向を切り換えることにより、当該反射光ビームＬ１３の偏光方向に応じて分割導光部１５６又は１５７によって当該反射光ビームＬ１３を部分毎に回折又は透過させて反射光ビームＬ１３を前後方向に分割することができ、フォトディテクタ１５３における各検出領域の境界によって各ビームスポットを左右方向に分割することができるので、フォトディテクタ１５３の４つの検出領域１５３Ａ〜１５３Ｄによって、第１の実施の形態における光ピックアップ３６と同様に、ＤＰＤ法によるトラッキングエラー信号ＳＴＥ５１を生成するための検出信号Ｓ５１Ａ〜Ｓ５１Ｄをそれぞれ直接生成することができ、或いは１ビームＰＰ法によるトラッキングエラー信号ＳＴＥ５２を生成するための検出信号Ｓ５２Ａ〜Ｓ５２Ｄをそれぞれ直接生成することができる。
【０３０６】
（７）第６の実施の形態
（７−１）光ピックアップの構成
第６の実施の形態では、光ピックアップ１６０（図３３）において、光ピックアップ１５０の分割導光パターン切換部１５１に代えて分割導光パターン切換部１６１が設けられている点が異なっているものの、他は当該光ピックアップ１５０と同様に構成されている。
【０３０７】
図３４と対応する図３７に示すように、分割導光パターン切換部１６１は、第２の実施の形態における分割導光パターン切換部１２４（図２４）と同様に、分割導光部１６４が形成されたスライド板１６３をアクチュエータ（図示せず）により前方向又は後方向（すなわち図３７の手前側又は奥側）へ動かすようになされている。
【０３０８】
これにより分割導光パターン切換部１６１は、分割導光パターン切換部１２４と同様、分割導光部１６４に対する反射光ビームＬ１３の照射箇所を切り換えることができ、この結果、反射光ビームＬ１３の分割パターンを切り換えることができる。また光ピックアップ１６０は、光ピックアップ１５０と同様に、分割後の反射光ビームをシリンドリカルレンズ１５２により横方向へ広げた後、フォトディテクタ１５３へ照射させるようになされている。
【０３０９】
（７−２）反射光ビームの分光
分割導光部１６４は、図３８（Ａ）及び図３９（Ａ）に示すように、第２の実施の形態における分割導光部１２６（図２５）と比較して、横方向に分割されておらず前後方向に３分割されている点が異なっている。
【０３１０】
分割導光部１６４の導光領域１６４Ａ及び１６４Ｃは、分割導光部１５７の導光領域１５７Ａ及び１５７Ｃと対応しており、ブレーズドＨＯＥでなるホログラムが形成され、反射光ビームＬ１３の一部を左方向へ回折させるようになされている。一方、導光領域１６４Ｂは、ホログラムが形成されていないため、反射光ビームＬ１３の一部をそのまま透過させるようになされている。
【０３１１】
（７−２−１）ＤＰＤ法によるトラッキングエラー信号の生成
実際上、光ピックアップ１６０（図３３）は、光ディスク１００がＢＤ−ＲＯＭディスクであった場合、分割導光パターン切換部１６１（図２４）によりスライド板１６３を前方向に移動させることにより、図３８（Ａ）に示すように、導光領域１６４Ｂ及び１６４Ｃの中心に、反射光ビームＬ１２が分割導光板１６４を透過する際における透過断面Ｒ６１の中心を重ねさせる。
【０３１２】
これにより分割導光板１６４は、２つの導光領域１６４Ｂ及び１６４Ｃによって、第５の実施の形態における分割導光板１５６の導光領域１５６Ａ及び１５６Ｂと同様に、透過断面Ｒ６１Ａでなる光ビームを回折させない（すなわち直進させる）と共に透過断面Ｒ６１Ｂでなる光ビームを図の左方向へ回折させる。さらにシリンドリカルレンズ１５２は、分割導光部１６４を通過した各光ビームを図３８（Ａ）における横方向に広げさせた上で、フォトディテクタ１５３へ照射させる。
【０３１３】
これに応じてフォトディテクタ１５３は、図３８（Ｂ）に示すように、透過断面Ｒ６１Ａが左右方向に広げられたような半楕円形状でなるビームスポットＰ６１Ａが検出領域１５３Ｂ及び１５３Ｄにまたがるように形成され、透過断面Ｒ５１Ｂが左右方向に広げられたような半楕円形状でなるビームスポットＰ５１Ｂが検出領域１５３Ａ及び１５３Ｃにまたがるように形成される。
【０３１４】
この結果、検出領域１５３Ａは、第５の実施の形態と同様の光量を検出することになるため、第２の実施の形態における検出信号Ｓ２１Ｂと同等の検出信号Ｓ６１Ａを生成することができる。
【０３１５】
また他の検出領域１５３Ｂ、１５３Ｃ及び１５３Ｄにおいても、同様に第２の実施の形態における検出信号Ｓ２１Ｃ、Ｓ２１Ａ及びＳ２１Ｄと同等の検出信号Ｓ６１Ｂ、Ｓ６１Ｃ及びＳ６１Ｄを生成することができる。
【０３１６】
この結果、光ディスク装置３０（図８）は、第５の実施の形態と同様の演算処理により、検出信号Ｓ６１Ａ〜Ｓ６１Ｄの位相差を用いてトラッキングエラー信号ＳＴＥ６１を算出することができ、当該トラッキングエラー信号ＳＴＥ６１を基に、ＢＤ−ＲＯＭディスクである光ディスク１００（図８）に対応したＤＰＤ法によるトラッキング制御を行うようになされている。
【０３１７】
（７−２−２）１ビームＰＰ法によるトラッキングエラー信号の生成
一方、光ピックアップ１６０（図３３）は、光ディスク１００がＢＤ−ＲＥディスクであった場合、分割導光パターン切換部１６１（図３７）によりスライド板１２５を後方向に移動させ、図３９（Ａ）に示すように、導光領域１６４Ｂのほぼ中心に、反射光ビームＬ１２が分割導光板１６４を透過する際における透過断面Ｒ６２の中心を重ねさせる。
【０３１８】
これにより分割導光板１６４は、３つの導光領域１６４Ａ〜１６４Ｃによって、第５の実施の形態における分割導光板１５７の導光領域１５７Ａ〜１５７Ｃと同様に、透過断面Ｒ６２Ｂでなる光ビームを回折させない（すなわち直進させる）と共に透過断面Ｒ６２Ａ及びＲ６２Ｃでなる光ビームを図の左方向へ回折させる。さらにシリンドリカルレンズ１５２は、分割導光部１６４を通過した光ビームを図３９（Ａ）における横方向に広げさせた上で、フォトディテクタ１５３へ照射させる。
【０３１９】
これに応じてフォトディテクタ１５３は、図３９（Ｂ）に示すように、透過断面Ｒ６２Ａが左右方向に広げられたような形状でなるビームスポットＰ６２Ａ及びＰ６２Ｃが検出領域１５３Ａ及び１５３Ｃにまたがるように形成され、透過断面Ｒ６２Ｂが左右方向に広げられたような形状でなるビームスポットＰ６２Ｂが検出領域１５３Ｂ及び１５３Ｄにまたがるように形成される。
【０３２０】
この結果、検出領域１５３Ａは、第５の実施の形態と同様の光量を検出することになるため、第２の実施の形態における検出信号Ｓ２２Ｂと同等の検出信号Ｓ６２Ａを生成することができる。
【０３２１】
また他の検出領域１５３Ｂ、１５３Ｃ及び１５３Ｄにおいても、同様に第２の実施の形態における検出信号Ｓ２２Ｃ、Ｓ２２Ａ及びＳ２２Ｄと同等の検出信号Ｓ６２Ｂ、Ｓ６２Ｃ及びＳ６２Ｄを生成することができる。
【０３２２】
この結果、光ディスク装置３０（図８）は、第５の実施の形態と同様、（５）式と対応する（１２）式に従い、検出信号Ｓ６２Ａ〜Ｓ６２Ｄを用いてトラッキングエラー信号ＳＴＥ６２を算出することができ、当該トラッキングエラー信号ＳＴＥ６２を基に、ＢＤ−ＲＯＭディスクである光ディスク１００（図８）に対応した１ビームＰＰ法によるトラッキング制御を行うようになされている。
【０３２３】
【数１２】
0004433315.tif 000013
【０３２４】
このように第６の実施の形態では、分割導光パターン切換部１６１において分割導光部１６４が形成されたスライド板１６３を前方向又は後方向へ動かすといった機械的な切換手法により、反射光ビームＬ１３を第５の実施の形態と同様に分割してフォトディテクタ１５３へ照射するようになされている。
【０３２５】
（７−３）動作及び効果
以上の構成において、第６の実施の形態による光ピックアップ１５０は、第２の実施の形態における光ピックアップ１２０と同様に、光ディスク１００の種類がＢＤ−ＲＯＭディスク又はＢＤ−ＲＥディスクのいずれであるかに応じて、システムコントローラ３１の制御に基づき分割導光パターン切換部１６１（図３７）のスライド板１６２を前方向又は後方向へ移動させることにより分割導光部１６４に対する反射光ビームＬ１３の照射位置を切り換える。
【０３２６】
さらに光ピックアップ１６０は、分割導光部１６４における反射光ビームＬ１３の照射位置に応じて当該反射光ビームＬ１３を部分毎に回折又は透過させ、さらにシリンドリカルレンズ１５２により図３８（Ａ）又は図３９（Ａ）における横方向に広げさせた上で、当該反射光ビームＬ１３を検出領域１５３Ａ及び１５３Ｃと、検出領域１５３Ｂ及び１５３Ｄとにそれぞれまたがるように照射させる。
【０３２７】
これにより光ピックアップ１６０は、第５の実施の形態における光ピックアップ１５０と同様、フォトディテクタ１５３の検出領域１５３Ａ〜１５３Ｄにおいて、ＤＰＤ法によるトラッキングエラー信号ＳＴＥ５１を生成するための検出信号Ｓ５１Ａ〜Ｓ５１Ｄをそれぞれ直接生成することができ、或いは１ビームＰＰ法によるトラッキングエラー信号ＳＴＥ５２を生成するための検出信号Ｓ５２Ａ〜Ｓ５２Ｄをそれぞれ直接生成することができる。
【０３２８】
また光ピックアップ１６０は、第５の実施の形態における光ピックアップ１５０と同様の作用効果を得ることができる。
【０３２９】
以上の構成によれば、第６の実施の形態による光ピックアップ１６０は、光ディスク１００の種類に応じて、分割導光パターン切換部１６１のスライド板１６２を移動させて分割導光部１６４に対する反射光ビームＬ１３の照射位置を切り換えることにより、反射光ビームＬ１３を前後方向に分割することができ、さらにフォトディテクタ１５３における各検出領域の境界によって各ビームスポットを横方向へ分割することができるので、フォトディテクタ１５３の４つの検出領域１５３Ａ〜１５３Ｄによって、第１の実施の形態における光ピックアップ３６と同様に、ＤＰＤ法によるトラッキングエラー信号ＳＴＥ６１を生成するための検出信号Ｓ６１Ａ〜Ｓ６１Ｄをそれぞれ直接生成することができ、或いは１ビームＰＰ法によるトラッキングエラー信号ＳＴＥ６２を生成するための検出信号Ｓ６２Ａ〜Ｓ６２Ｄをそれぞれ直接生成することができる。
【０３３０】
（８）他の実施の形態
なお上述した第１の実施の形態においては、分割導光パターン切換部６１の液晶素子でなるアクティブ波長板６５により反射光ビームＬ１３の偏光方向を切り換え、板状部材５４Ａ及び５４Ｂを複屈折材料で構成すると共に回折作用を呈する偏光方向が互いに異なるように構成することにより、ブレーズド偏光ＨＯＥが形成された分割導光部６６及び６７によって反射光ビームＬ１３の分割パターンを切り換えるようにした場合について述べたが、本発明はこれに限らず、他の種々の切り換え手段により当該反射光ビームＬ１３の分割パターンを切り換えるようにしても良い。
【０３３１】
例えば、「領域分割アクティブ波長板」と「ウォラストンプリズム」との組み合わせにより反射光ビームＬ１３を分割すると共にその屈折方向を変化させるようにする等、反射光ビームＬ１３の光学的特性を変化させることにより当該反射光ビームＬ１３の分割パターンを切り換える種々の手法を用いても良い。
【０３３２】
或いは、例えば「領域分割アクティブ波長板」と「偏光ＨＯＥ」との組み合わせにより反射光ビームＬ１３を分割すると共に一部領域の偏光を回転させ、その回折方向を変化させることにより当該反射光ビームＬ１３の分割パターンを切り替える種々の手法を用いても良い。
【０３３３】
さらには、例えば「ブレーズＨＯＥ液晶」のように、液晶素子自体により光路上の位相差を形成することにより反射光ビームＬ１３を分割すると共にそれぞれ進行方向を変化させるようにし、液晶のパターンを変化させることにより当該反射光ビームＬ１３の分割パターンを切り換えるようにしても良く、或いは、図１に示したように複数の分割導光板をメカニカルに切り換えることにより当該反射光ビームＬ１３の分割パターンを切り換えるようにしても良い。
【０３３４】
また上述した第１の実施の形態においては、光ピックアップ３６の光集積素子４０において、アクティブ波長板６５、分割導光部６６及び６７を一体に構成するようにした場合について述べたが、本発明はこれに限らず、例えば当該アクティブ波長板６５、分割導光部６６及び６７を光集積素子４０からそれぞれ独立させて構成するようにしても良い。
【０３３５】
さらに上述した第１の実施の形態においては、ＳＳＤ法によるフォーカスエラー信号ＳＦＥを生成することとの兼ね合いから、分割導光部６６及び６７において分割光ビームＬ１６Ａ〜Ｌ１６Ｄ及びＬ１７Ａ〜Ｌ１７Ｆを左方向又は右方向へのみ回折させるようにした場合について述べたが、本発明はこれに限らず、例えばフォーカスエラー信号ＳＦＥを他の手法によって生成する場合に、図６（Ａ）及び（Ｂ）に示したように、分割光ビームＬ１６Ａ〜Ｌ１６Ｄ及びＬ１７Ａ〜Ｌ１７Ｆを種々の方向へ回折させるようにしても良い。
【０３３６】
すなわち、フォトディテクタ上の所定箇所に設けられた各検出領域に対して、トラッキングエラー信号の生成に用いる検出信号を直接生成し得るように分割光ビームをそれぞれ照射させ、分割導光パターン切換部６１等によりその照射パターンを切り換えられるようにすれば良い。
【０３３７】
さらに上述した第１の実施の形態においては、分割導光部６６及び６７の導光領域６６Ａ〜６６Ｄ（図１２（Ａ））及び６７Ａ〜６７Ｆ（図１３（Ａ））にブレーズドＨＯＥを形成するようにした場合について述べたが、本発明はこれに限らず、二方向に回折する一般的な回折格子やホログラム等を用いるようにしても良い。この場合、フォトディテクタ５２の検出領域において各回折光を検出するように回折方向を設定すると共に検出領域を配置すれば良い。
【０３３８】
さらに上述した第１の実施の形態においては、反射光ビームＬ１３の偏光方向を左右方向としたときを光ディスク１００がＢＤ−ＲＯＭディスクであった場合に対応させ、当該反射光ビームＬ１３の偏光方向を前後方向としたときを光ディスク１００がＢＤ−ＲＥディスクであった場合に対応させるようにした場合について述べたが、本発明はこれに限らず、これと反対に反射光ビームＬ１３の偏光方向を前後方向としたときを光ディスク１００がＢＤ−ＲＯＭディスクであった場合に対応させ、当該反射光ビームＬ１３の偏光方向を左右方向としたときを光ディスク１００がＢＤ−ＲＥディスクであった場合に対応させるようにしても良い。
【０３３９】
さらに上述した第１の実施の形態においては、図１３（Ａ）及び図２０に示したように、分割導光部６７において導光領域６７Ｃ及び６７Ｄの中心側における一部分がそれぞれ中心側へ突出され領域６７ＣＸ及び６７ＤＸを形成するようにした場合について述べたが、本発明はこれに限らず、例えば層間迷光の影響が無視できるような場合に、図１３（Ａ）と対応する図４０に示すように、分割導光部６７に代えて、領域６７ＣＸ及び６７ＤＸを持たない分割導光部１７０を用いるようにし、或いは分割導光板２１（図４（Ｃ））と同様に導光領域６７Ｇを持たない分割導光部を用いるようにしても良い。さらには、他のトラッキング制御手法を用いる場合に、当該トラッキング手法に応じた分割パターンに従い分割された分割導光部を用いるようにしても良い。また、反射光ビームＬ１３を分割せずにフォトディテクタ５２へ照射させるような分割導光部を用いるようにしても良い。
【０３４０】
さらに上述した第１の実施の形態においては、分割導光パターン切換部６１において２通りの分割パターンのいずれかに切り換えるようにした場合について述べたが、本発明はこれに限らず、例えばＤＶＤ−Ｒ（Digital Versatile Disc-Recordable）に対してＢＤ−ＲＯＭディスク用のトラッキング制御又はＢＤ−ＲＥディスク用のトラッキング制御とは異なるトラッキング制御を行う場合等、３通り以上の分割パターンのいずれかに切り換えるようにしても良い。
【０３４１】
このとき、分割パターンの数が多い場合に反射光ビームＬ１３の偏光方向を切り換えるだけでは全ての分割パターンに対応し得ない可能性があるため、必要に応じて、例えば多数の分割導光板をメカニカルに切り換える等の手法を用いれば良い。
【０３４２】
さらに上述した第１の実施の形態においては、光ディスク１００がＢＤ−ＲＯＭディスク又はＢＤ−ＲＥディスクのいずれであるかに応じて、光ディスク装置３０が分割導光パターン切換部６１の分割パターンを切り換えるようにした場合について述べたが、本発明はこれに限らず、例えば光ディスク１００がＢｌｕ−ｒａｙ  Ｄｉｓｃ（登録商標）又はＤＶＤのいずれであるかに応じて分割導光パターン切換部６１の分割パターンを切り換えるようにし、或いは光ディスク１００が１層ディスク又は２層ディスクのいずれであるかに応じて分割導光パターン切換部６１の分割パターンを切り換えるようにする等、種々の切換条件に応じて分割パターンを切り換えるようにしても良い。
【０３４３】
さらに上述した第１の実施の形態においては、光ディスク１００がＢＤ−ＲＯＭディスク又はＢＤ−ＲＥディスクのいずれであるかに応じて、光ディスク装置３０が分割導光パターン切換部６１における分割パターンを切り換えるようにした場合について述べたが、本発明はこれに限らず、例えば光ディスク１００が光ディスク装置３０に装填された直後のスタートアップ動作時及び温度変化などに伴うキャリブレーション動作時と、通常の記録及び再生を行う定常動作時とで、分割導光パターン切換部６１における分割パターンを切り換えるようにする等、種々の切換条件に応じて分割パターンを切り換えるようにしても良い。
【０３４４】
さらに上述した第１の実施の形態においては、トラッキングエラー信号ＳＴＥの生成に用いる検出信号を生成するための分割光ビームの分割パターンを、分割導光パターン切換部６１により切り換えるようにした場合について述べたが、本発明はこれに限らず、例えば複数のフォーカス制御手法を切り換える場合に、フォーカスエラー信号ＳＦＥの生成に用いる検出信号を生成するための分割光ビームの分割パターンを分割導光パターン切換部６１により切り換えるようにし、或いは複数の再生ＲＦ信号生成手法を切り換える場合に、再生ＲＦ信号の生成に用いる検出信号を生成するための分割光ビームの分割パターンを分割導光パターン切換部６１により切り換えるようにする等、種々の信号を生成する複数の手法を切り換える場合に分割パターンを切り換えるようにしても良い。
【０３４５】
さらに上述した実施の形態においては、光ディスク装置３０において光ディスク１００から情報を再生する際におけるトラッキングエラー信号の生成時に本発明を適用する場合について述べたが、これに限らず、例えば当該光ディスク１００に情報を記録する際におけるトラッキングエラー信号の生成時に本発明を適用するようにしても良い。
【０３４６】
さらに上述した実施の形態においては、略円盤状の光ディスク１００を光記録媒体として用いる光ディスク装置３０に本発明を適用するようにした場合について述べたが、これに限らず、例えば円筒状の光ドラムや矩形板状の光チップ、或いはテープ状の光テープを光記録媒体として用いる光記録装置等、種々の光記録媒体を用いて光ビームにより情報を読み出す光情報装置に本発明を適用するようにしても良い。
【０３４７】
さらに上述した実施の形態においては、検出器としてのフォトディテクタ５２と、導光手段としての分割導光部６６及び６７と、切換制御部としてのアクティブ波長板６５とによって光ピックアップとしての光ピックアップ３６を構成する場合について述べたが、本発明はこれに限らず、その他種々の構成でなる検出器と、導光手段と、切換制御部とによって光ピックアップを構成するようにしても良い。
【０３４８】
さらに上述した実施の形態においては、検出器としてのフォトディテクタ５２と、導光手段としての分割導光部６６及び６７と、切換制御部としてのアクティブ波長板６５と、統括制御部としてのシステムコントローラ３１とによって光情報装置としての光ディスク装置３０を構成する場合について述べたが、本発明はこれに限らず、その他種々の構成でなる検出器と、導光手段と、切換制御部と、統括制御部とによって光情報装置を構成するようにしても良い。
【産業上の利用可能性】
【０３４９】
本発明は、光ビームを用いて光記録媒体に情報を記録し又は再生する種々の光情報装置でも利用できる。
【図面の簡単な説明】
【０３５０】
【図１】本発明の基本原理に基づく光ディスク装置の構成を示す略線図である。
【図２】トラッキングエラー信号の生成原理を示す略線図である。
【図３】分割導光板の構成を示す略線図である。
【図４】分割導光板による回折方向を示す略線図である。
【図５】フォトディテクタにおける検出領域の配置の説明に供する略線図である。
【図６】分割導光板による反射光ビームの分割の説明に供する略線図である。
【図７】フォトディテクタの検出領域に形成されるビームスポットの様子を示す略線図である。
【図８】光ディスク装置の全体構成を示すブロック図である。
【図９】光ピックアップの構成を示す略線的斜視図である。
【図１０】光集積素子の構成を示す略線図である。
【図１１】分割導光部の構成（１）を示す略線図である。
【図１２】分割導光部の構成（２）を示す略線図である。
【図１３】分割導光部の構成（３）を示す略線図である。
【図１４】フォトディテクタにおける検出領域の配置を示す略線図である。
【図１５】反射光ビームの分割及び導光の説明に供する略線図である。
【図１６】フォトディテクタの検出領域に形成されるビームスポットの様子を示す略線図である。
【図１７】光ピックアップ内の光路（１）を示す略線図である。
【図１８】光ピックアップ内の光路（２）を示す略線図である。
【図１９】光ピックアップ内の光路（３）を示す略線図である。
【図２０】分割導光部における迷光の説明に供する略線図である。
【図２１】層間迷光の照射パターン（１）を示す略線図である。
【図２２】層間迷光の照射パターン（２）を示す略線図である。
【図２３】光ピックアップの構成を示す略線的斜視図である。
【図２４】分割導光パターン切換部の構成を示す略線的斜視図である。
【図２５】分割導光部の構成を示す略線図である。
【図２６】第２の実施の形態における分割導光部の構成及びビームスポットの様子（１）を示す略線図である。
【図２７】第２の実施の形態における分割導光部の構成及びビームスポットの様子（２）を示す略線図である。
【図２８】第３の実施の形態における分割導光パターン切換部の構成を示す略線図である。
【図２９】第３の実施の形態における分割導光部の構成及びビームスポットの様子（１）を示す略線図である。
【図３０】第３の実施の形態における分割導光部の構成及びビームスポットの様子（２）を示す略線図である。
【図３１】第４の実施の形態における偏光フィルタ部の構成を示す略線図である。
【図３２】第４の実施の形態における反射光ビームの分割及び導光の説明に供する略線図である。
【図３３】光ピックアップの構成を示す略線的斜視図である。
【図３４】第５の実施の形態による光ピックアップの部分構成を示す略線図である。
【図３５】第５の実施の形態における分割導光部の構成及びビームスポットの様子（１）を示す略線図である。
【図３６】第５の実施の形態における分割導光部の構成及びビームスポットの様子（２）を示す略線図である。
【図３７】第６の実施の形態による光ピックアップの部分構成を示す略線図である。
【図３８】第６の実施の形態における分割導光部の構成及びビームスポットの様子（１）を示す略線図である。
【図３９】第６の実施の形態における分割導光部の構成及びビームスポットの様子（２）を示す略線図である。
【図４０】他の実施の形態による分割導光部の構成を示す略線図である。
【図４１】フォトディテクタにおける検出領域の分割例を示す略線図である。
【符号の説明】
【０３５１】
１、１Ａ〜１Ｄ、２、２Ａ〜２Ｆ、３、３Ａ〜３Ｈ、２２Ａ〜２２Ｄ、５２Ａ〜５２Ｍ……検出領域、１０、３０……光ディスク装置、１１、３６、１２０、１３０、１４０、１５０、１６０……光ピックアップ、２０、２１……分割導光板、２２、５２、１５３……フォトディテクタ、２４、６１、１２４、１３１、１５１、１６１……分割導光パターン切換部、３１……システムコントローラ、４０……光集積素子、５４、１４２……偏光フィルタ部、５４Ａ〜５４Ｄ……板状部材、６４……フォーカスサーボ用ホログラム、６５……アクティブ波長板、６６、６７、１２６、１３３、１３４、１３５、１５６、１５７、１６４、１７０……分割導光部、６６Ａ〜６６Ｄ、６７Ａ〜６７Ｇ、１２６Ａ〜１２６Ｆ、１３３Ａ〜１３３Ｈ、１３４Ａ〜１３４Ｈ、１３５Ａ〜１３５Ｈ、１５６Ａ、１５６Ｂ、１５７Ａ〜１５７Ｃ、１６４Ａ〜１６４Ｃ、１７０Ａ〜１７０Ｇ……導光領域、１００……光ディスク、Ｌ１２、Ｌ１３、Ｌ１４、Ｌ１５……反射光ビーム、Ｌ１６Ａ〜Ｌ１６Ｄ、Ｌ１７Ａ〜Ｌ１７Ｇ……分割光ビーム、Ｐ１Ａ〜Ｐ１Ｄ、Ｐ２Ａ〜Ｐ２Ｆ、Ｐ１１Ａ〜Ｐ１１Ｄ、Ｐ１２Ａ〜Ｐ１２Ｇ……ビームスポット。
【図１】
0004433315.tif 000014
【図２】
0004433315.tif 000015
【図３】
0004433315.tif 000016
【図４】
0004433315.tif 000017
【図５】
0004433315.tif 000018
【図６】
0004433315.tif 000019
【図７】
0004433315.tif 000020
【図８】
0004433315.tif 000021
【図９】
0004433315.tif 000022
【図１０】
0004433315.tif 000023
【図１１】
0004433315.tif 000024
【図１２】
0004433315.tif 000025
【図１３】
0004433315.tif 000026
【図１４】
0004433315.tif 000027
【図１５】
0004433315.tif 000028
【図１６】
0004433315.tif 000029
【図１７】
0004433315.tif 000030
【図１８】
0004433315.tif 000031
【図１９】
0004433315.tif 000032
【図２０】
0004433315.tif 000033
【図２１】
0004433315.tif 000034
【図２２】
0004433315.tif 000035
【図２３】
0004433315.tif 000036
【図２４】
0004433315.tif 000037
【図２５】
0004433315.tif 000038
【図２６】
0004433315.tif 000039
【図２７】
0004433315.tif 000040
【図２８】
0004433315.tif 000041
【図２９】
0004433315.tif 000042
【図３０】
0004433315.tif 000043
【図３１】
0004433315.tif 000044
【図３２】
0004433315.tif 000045
【図３３】
0004433315.tif 000046
【図３４】
0004433315.tif 000047
【図３５】
0004433315.tif 000048
【図３６】
0004433315.tif 000049
【図３７】
0004433315.tif 000050
【図３８】
0004433315.tif 000051
【図３９】
0004433315.tif 000052
【図４０】
0004433315.tif 000053
【図４１】
0004433315.tif 000054